(57)【要約】本開示は無線通信に用いられる電子装置及び無線通信方法に関する。一実施例によれば、無線通信に用いられる電子装置は処理回路を含む。処理回路は、ユーザー装置が現在の中継装置を介して現在のセルから通信サービスを取得する場合、別のセルへのセルラーリンク及び別の中継装置を介する中継リンクが含まれる候補リンクに関する情報を取得するように配置される。処理回路はさらに、候補リンクから当該ユーザー装置に適用する通信リンクを当該情報に基づいて選択するように配置される。【選択図】図１
2020512706.tif 000002
【特許請求の範囲】
【請求項１】
処理回路を含む無線通信に用いられる電子装置であって、
前記処理回路は、
ユーザー装置が現在の中継装置を介して現在のセルから通信サービスを取得する場合、別のセルへのセルラーリンク及び別の中継装置を介する中継リンクを含む候補リンクに関する情報を取得し、
前記情報に基づいて、前記候補リンクから前記ユーザー装置に適用する通信リンクを選択するように配置される電子装置。
【請求項２】
前記通信リンクの選択は、
前記情報に基づいて、前記候補リンクの優先度を確定し、
確定した優先度に基づいて、前記候補リンクから前記通信リンクを選択することを含む請求項１に記載の電子装置。
【請求項３】
前記情報は、候補中継装置が属するセルを含み、且つ、前記優先度に対する確定は、
前記ユーザー装置がセル切り替え条件を満たしていない場合、現在のセルの候補中継装置の優先度を別のセルの候補中継装置の優先度よりも高くし、
前記ユーザー装置がセル切り替え条件を満たす場合、切り替え目標セルの候補中継装置の優先度を現在のセルの候補中継装置の優先度よりも高くすることを含む、請求項２に記載の電子装置。
【請求項４】
前記情報は、前記ユーザー装置の残電力量に関する情報を含み、且つ、前記優先度に対する確定は、
前記ユーザー装置の電力量が所定のレベルよりも低い場合、セルラーリンク品質が高い候補中継装置に高い優先度を持たせること、を含む請求項２に記載の電子装置。
【請求項５】
前記情報は、前記別のセルのセルラーリンクに対する前記ユーザー装置の測定結果に関する情報と、前記別のセルが中継リンクをサポートするかどうかを指示する情報とを含む、請求項２に記載の電子装置。
【請求項６】
前記別のセルが中継リンクをサポートする場合、前記優先度に対する確定は、
前記ユーザー装置と前記別のセルとの間のセルラーリンク品質が所定のレベルよりも高い場合、前記別のセルへのセルラーリンクの優先度を別の中継装置を介する中継リンクよりも高くし、
前記ユーザー装置と前記別のセルとの間のセルラーリンク品質が所定のレベルよりも低い場合、前記別のセルへのセルラーリンクの優先度を別の中継装置を介する中継リンクよりも低くすることを含む請求項５に記載の電子装置。
【請求項７】
前記別のセルが中継リンクをサポートしない場合、
前記ユーザー装置と候補中継装置との間のリンク品質と、
前記ユーザー装置と前記別のセルとの間のセルラーリンク品質と、
前記ユーザー装置及び／又は候補中継装置の残電力量と、
前記ユーザー装置の業務特性と、のうち１つ又は複数に基づいて前記優先度を確定する、請求項５に記載の電子装置。
【請求項８】
前記ユーザー装置と候補中継装置との間のリンク品質は、サイドリンク参照信号受信電力Ｓ−ＲＳＲＰ又はサイドリンク発見参照信号受信電力ＳＤ−ＲＳＲＰによって表される、請求項７に記載の電子装置。
【請求項９】
前記処理回路は、
前記ユーザー装置と現在の中継装置との間のリンク品質が所定のレベルよりも低い、又は、
前記ユーザー装置に対するシグナリングが、現在の中継装置を使用しないことを指示する、というトリガー条件に応答して、前記通信リンクの選択を行うように配置される請求項１に記載の電子装置。
【請求項１０】
前記ユーザー装置側に設けられ、
前記処理回路は、中継リンクを継続して使用することが選択された場合、セル切り替えに関する測定報告を阻止するように配置される請求項１に記載の電子装置。
【請求項１１】
前記ユーザー装置は、マシンタイプ通信ＭＴＣ装置を含む請求項１に記載の電子装置。
【請求項１２】
前記処理回路は、前記中継リンクを、前記ＭＴＣ装置に適用する通信リンクとして優先的に選択するように配置される請求項１１に記載の電子装置。
【請求項１３】
基地局側に設けられ、
前記処理回路は、
選択された前記ユーザー装置に適用する通信リンクが、別のセルの中継装置を介する中継リンクである場合、当該中継リンクに用いられるリソース割り当てを前記別のセルの基地局に要求するように配置される請求項１に記載の電子装置。
【請求項１４】
無線通信方法であって、
ユーザー装置が中継装置を介して現在のセルから通信サービスを取得する場合、別のセルへのセルラーリンク及び別の中継装置を介する中継リンクが含まれる候補リンクに関する情報を取得することと、
前記情報に基づいて、前記候補リンクから前記ユーザー装置に適用する通信リンクを選択することと、を含む無線通信方法。
【請求項１５】
処理回路を含む無線通信に用いられる電子装置であって、
前記処理回路は、
ユーザー装置と第１の中継装置との間の中継リンク品質が所定のレベルに低下した場合、前記ユーザー装置を、前記ユーザー装置と隣接するセルとの間のセルラーリンクに対する測定が含まれるリンク測定を行うようにトリガーするように配置される電子装置。
【請求項１６】
前記リンク測定は、前記ユーザー装置と第２の中継装置との間の中継リンクに対する測定をさらに含む請求項１５に記載の電子装置。
【請求項１７】
無線通信方法であって、
ユーザー装置と第１の中継装置との間の中継リンク品質が所定のレベルに低下した場合、前記ユーザー装置を、前記ユーザー装置と隣接するセルとの間のセルラーリンクに対する測定が含まれるリンク測定を行うようにトリガーすることを含む無線通信方法。
【請求項１８】
処理回路を含む無線通信に用いられる電子装置であって、
前記処理回路は、
ユーザー装置が現在の中継装置を介して現在のセルから通信サービスを取得する場合、前記ユーザー装置と現在の中継装置との間のリンク状態及び前記現在の中継装置と現在のセルとの間のリンク状態に関する情報を取得し、
現在のセル又は別のセルへのセルラーリンク及び別の中継装置を介する中継リンクが含まれる候補リンクに対する前記ユーザー装置の測定配置を前記情報に基づいて調整するように配置される電子装置。
【請求項１９】
前記処理回路は、前記ユーザー装置の中継リンク測定に用いられるリソースがセルラーリンク測定に用いられるリソースと衝突する場合、前記測定配置の調整をトリガーするように配置される請求項１８に記載の電子装置。
【請求項２０】
前記調整は、
前記ユーザー装置と現在の中継装置との間の中継リンク品質及び前記現在の中継装置と現在のセルとの間のセルラーリンク品質が対応する所定のレベルよりも高い場合、候補中継装置に対する中継リンク測定を低減することと、
前記ユーザー装置と現在の中継装置との間の中継リンク品質及び前記現在の中継装置と現在のセルとの間のセルラーリンク品質が対応する所定のレベルよりも低い場合、候補中継装置に対する中継リンク測定を増加することと、を含む請求項１８に記載の電子装置。
【請求項２１】
前記調整は、
前記ユーザー装置と現在の中継装置との間の中継リンク品質及び前記現在の中継装置と現在のセルとの間のセルラーリンク品質が対応する所定のレベルよりも高い場合、現在のセル又は別のセルに対する前記ユーザー装置のセルラーリンク測定をオフにするか又は前記セルラーリンク測定の周期を長くすることと、
前記ユーザー装置と現在の中継装置との間の中継リンク品質及び前記現在の中継装置と現在のセルとの間のセルラーリンク品質が対応する所定のレベルよりも低い場合、現在のセル又は別のセルに対する前記ユーザー装置のセルラーリンク測定をオンにするか又は前記セルラーリンク測定の周期を短くすることと、を含む請求項１８に記載の電子装置。
【請求項２２】
前記調整は、
所定の時間内に前記ユーザー装置によって発見された候補中継装置の数が所定の閾値よりも大きい場合、現在のセル又は別のセルに対する前記ユーザー装置のセルラーリンク測定をオフにするか又は前記セルラーリンク測定の周期を長くすることと、
所定の時間内に前記ユーザー装置によって発見された候補中継装置の数が所定の閾値よりも小さい場合、現在のセル又は別のセルに対する前記ユーザー装置のセルラーリンク測定をオンにするか又は前記セルラーリンク測定の周期を短くすることと、を含む請求項１８に記載の電子装置。
【請求項２３】
前記中継リンク品質及び前記セルラーリンク品質は、対応するリンクの変化率によって表されるリンク安定性を含む、請求項２０又は２１に記載の電子装置。
【請求項２４】
前記中継リンク品質は、サイドリンク参照信号受信電力Ｓ−ＲＳＲＰ又はサイドリンク発見参照信号受信電力ＳＤ−ＲＳＲＰによって表される、請求項２０又は２１に記載の電子装置。
【請求項２５】
無線通信方法であって、
ユーザー装置が現在の中継装置を介して現在のセルから通信サービスを取得する場合、前記ユーザー装置と現在の中継装置との間のリンク状態及び前記現在の中継装置と現在のセルとの間のリンク状態に関する情報を取得することと、
現在のセル又は別のセルへのセルラーリンク及び別の中継装置を介する中継リンクが含まれる候補リンクに対する前記ユーザー装置の測定配置を前記情報に基づいて調整することと、を含む無線通信方法。
【発明の詳細な説明】
【技術分野】
【０００１】
本開示は、一般的に無線通信分野に関し、より具体的に、無線通信に用いられる電子装置及び無線通信方法に関する。
【背景技術】
【０００２】
ユーザー装置（ＵＥ）からネットワーク中継（ＵＥ−ｔｏ−Ｎｅｔｗｏｒｋ  Ｒｅｌａｙ）とは、中継されるＵＥが中継ＵＥを介して基地局（ｅＮＢ）と通信することを意味し、それはネットワークカバレッジを拡大し、セルエッジのユーザーレートとスペクトル再利用率を向上させることができる。３ＧＰＰ（第３世代パートナーシッププロジェクト）Ｒｅｌｅａｓｅ  １２の近接サービス（ＰｒｏＳｅ）通信に関する研究では、装置から装置への発見及び通信は、セル内とセル間とで実行され得る。中継される（ｒｅｍｏｔｅ）ＵＥと中継（ｒｅｌａｙ）ＵＥが同じｅＮＢによってサービスされることは典型的な場合であるが、中継サービスが起動される前に、ｒｅｍｏｔｅ  ＵＥとｒｅｌａｙ  ＵＥは異なるサービングセルに存在する可能性があるので、切り替えプロセスが必要とされることがある。
【発明の概要】
【発明が解決しようとする課題】
【０００３】
本発明に関するある態様の基本的理解を提供するように、本発明に関する簡単な概説を以下に示す。以下の概説が本発明に関する網羅的な概説ではないと理解すべきである。それは、本発明の肝心又は重要部分を確定することを意図するものではなく、本発明の範囲を限定することを意図するものでもない。その目的は、後述するより詳細な説明の前置きとして、簡略化された形でいくつかの概念を提示するものである。
【課題を解決するための手段】
【０００４】
一実施例によれば、処理回路を含む、無線通信に用いられる電子装置が提供される。処理回路は、ユーザー装置が現在の中継装置を介して現在のセルから通信サービスを取得する場合、別のセルへのセルラーリンク及び別の中継装置を介する中継リンクが含まれる候補リンクに関する情報を取得するように配置される。処理回路はさらに、当該情報に基づいて候補リンクから当該ユーザー装置に適用する通信リンクを選択するように配置される。
【０００５】
別の実施例によれば、ユーザー装置が中継装置を介して現在のセルから通信サービスを取得する場合、別のセルへのセルラーリンク及び別の中継装置を介する中継リンクが含まれる候補リンクに関する情報を取得するステップと、当該情報に基づいて候補リンクから当該ユーザー装置に適用する通信リンクを選択するステップとを含む無線通信方法が提供される。
【０００６】
さらに別の実施例によれば、処理回路を含む、無線通信に用いられる電子装置が提供される。処理回路は、ユーザー装置と第１の中継装置との間の中継リンク品質が所定のレベルに低下した場合に、当該ユーザー装置を、当該ユーザー装置と隣接するセルとの間のセルラーリンクに対する測定が含まれるリンク測定を行うようにトリガーするように配置される。
【０００７】
さらに別の実施例によれば、ユーザー装置と第１の中継装置との間の中継リンク品質が所定のレベルに低下した場合に、当該ユーザー装置を、当該ユーザー装置と隣接するセルとの間のセルラーリンクに対する測定が含まれるリンク測定を行うようにトリガーすることを含む無線通信方法が提供される。
【０００８】
上記の態様の実施例は、以下の効果のうちの少なくとも１つを得ることができ、ユーザー装置がよりよいサービスを得ることができ、サービスの継続性を保証し、中継されるユーザー装置のリンクを切り替える時の消費電力とリンクが確立される時の遅延が低減される。
【０００９】
さらに別の実施例によれば、処理回路を含む、無線通信に用いられる電子装置が提供される。処理回路は、ユーザー装置が現在の中継装置を介して現在のセルから通信サービスを取得する場合、当該ユーザー装置と現在の中継装置との間のリンク状態及び現在の中継装置と現在のセルとの間のリンク状態に関する情報を取得するように配置される。処理回路はさらに、現在のセル又は別のセルへのセルラーリンク及び別の中継装置を介する中継リンクが含まれる候補リンクに対する、当該ユーザー装置の測定配置を当該情報に基づいて調整するように配置される。
【００１０】
さらに別の実施例によれば、ユーザー装置が現在の中継装置を介して現在のセルから通信サービスを取得する場合、当該ユーザー装置と現在の中継装置との間のリンク状態及び現在の中継装置と現在のセルとの間のリンク状態に関する情報を取得し、現在のセル又は別のセルへのセルラーリンク及び別の中継装置を介する中継リンクが含まれる候補リンクに対する、当該ユーザー装置の測定配置を当該情報に基づいて調整することを含む無線通信方法が提供される。
【００１１】
上記の態様の実施例は、以下の効果のうちの少なくとも１つを得ることができ、セルラーリンクと中継リンク測定との衝突を回避し、リンク状態に応じて測定配置を自己適応的に調整することにより、中継されるユーザー装置の測定上の消費電力を効果的に低減することができる。
【図面の簡単な説明】
【００１２】
本発明は、添付の図面と併せて以下の説明を参照することによって、よりよく理解でき、同じ又は類似の構成要素について、図面全体にわたって同じ又は類似の参照符号が使用されている。前記図面は、本明細書に含まれて、以下の詳細な説明と共に本明細書の一部を形成し、また、本発明の好ましい実施例と原理及び利点をさらに説明する。図面では、
【００１３】
【図１】本発明の一実施例による無線通信に用いられる電子装置の構成例を示すブロック図である。
【図２】本発明の一実施例による無線通信方法のプロセスの一例を示すフローチャートである。
【図３】本発明の別の実施例による無線通信に用いられる電子装置の構成例を示すブロック図である。
【図４】本発明の別の実施例による無線通信方法のプロセスの一例を示すフローチャートである。
【図５】本発明のさらに別の実施例による無線通信に用いられる電子装置の構成例を示すブロック図である。
【図６】本発明のさらに別の実施例による無線通信方法のプロセスの一例を示すフローチャートである。
【図７】中継再選択とセル切り替えの適用シナリオの一例を説明するための模式図である。
【図８】一実施例によるパス切り替え確定プロセスの全体の流れを説明するための模式図である。
【図９】別の例実施例によるパス切り替え確定プロセスの全体の流れを説明するための模式図である。
【図１０】一実施例によるパス切り替え確定プロセスを説明するためのフローチャートである。
【図１１】リンク選択ポリシーをトリガーするための条件の例を説明するための模式図である。
【図１２Ａ】リンク選択ポリシーをトリガーするための条件の例を説明するための模式図である。
【図１２Ｂ】リンク選択ポリシーをトリガーするための条件の例を説明するための模式図である。
【図１３Ａ】中継再選択の条件が満たされる場合、Ｕｕリンクに対する測定をトリガーする例を説明するための模式図である。
【図１３Ｂ】中継再選択の条件が満たされる場合、Ｕｕリンクに対する測定をトリガーする例を説明するための模式図である。
【図１４Ａ】サイドリンク（Ｓｉｄｅｌｉｎｋ）測定配置を変更する例を説明するための模式図である。
【図１４Ｂ】サイドリンク（Ｓｉｄｅｌｉｎｋ）測定配置を変更する例を説明するための模式図である。
【図１４Ｃ】サイドリンク（Ｓｉｄｅｌｉｎｋ）測定配置を変更する例を説明するための模式図である。
【図１４Ｄ】サイドリンク（Ｓｉｄｅｌｉｎｋ）測定配置を変更する例を説明するための模式図である。
【図１５】Ｕｕリンクに対する測定配置の一例を説明するための模式図である。
【図１６Ａ】ＰＣ５リンクに対する自己適応測定の一例を説明するための模式図である。
【図１６Ｂ】ＰＣ５リンクに対する自己適応測定の一例を説明するための模式図である。
【図１７Ａ】Ｕｕリンクに対する自己適応測定の一例を説明するための模式図である。
【図１７Ｂ】Ｕｕリンクに対する自己適応測定の一例を説明するための模式図である。
【図１８】本開示の方法及び装置を実現するコンピュータの構成例を示すブロック図である。
【図１９】本開示の技術を適用できるスマートフォンの概略構成の一例を示すブロック図である。
【図２０】本開示の技術を適用できるｅＮＢ（進化型基地局）の概略構成の一例を示すブロック図である。
【図２１】本開示の技術を適用できるカーナビゲーション装置の概略構成の一例を示すブロック図である。
【発明を実施するための形態】
【００１４】
以下、図面を参照して本発明の実施例を説明する。本発明の図面の１つ又は一実施形態で説明される要素及び特徴は、１つ又は複数の他の図面又は実施形態に示される要素及び特徴と組み合わせられてもよい。明確にするために、本発明に関係のない当業者に知られている構成要素及び処理の表現及び説明は、図面及び説明から省略されていることに留意されたい。
【００１５】
図１に示すように、本実施例による無線通信に用いられる電子装置１００は、処理回路１１０を含む。処理回路１１０は例えば、特定チップ、チップセット、又は中央処理ユニット（ＣＰＵ）等として実現することができる。
【００１６】
処理回路１１０は、取得ユニット１１１と選択ユニット１１３を含む。なお、各ユニットは、図で機能ブロックの形態で示されているが、これらのユニットの機能は処理回路１１０全体によって実現されてもよく、必ずしも処理回路１１０における別個の実際の構成要素によって実現される必要はないことに留意されたい。また、処理回路１１０は、図で１つのブロックで示されているが、電子装置１００は複数の処理回路を含んでもよく、取得ユニット１１１と選択ユニット１１３の機能を複数の処理回路に分散することで、複数の処理回路が協働することによってこれらの機能を実行してもよい。
【００１７】
取得ユニット１１１は、ユーザー装置が現在の中継装置を介して現在のセルから通信サービスを取得する場合、候補リンクに関する情報を取得するように配置される。候補リンクは、別のセルへのセルラーリンク（ｃｅｌｌｕｌａｒ  ｌｉｎｋ）及び別の中継装置を介する中継リンクを含むことができる。
【００１８】
ここのセルラーリンクは、ＵＥとｅＮＢとの間のＵｕリンクを含み、中継リンクは、中継される（ｒｅｍｏｔｅ）ＵＥが中継（ｒｅｌａｙ）ＵＥとの間のＰＣ５インターフェースによってｒｅｌａｙ  ＵＥを介してｅＮＢと通信するリンクを含む。ここで、中継リンクは、Ｓｉｄｅｌｉｎｋ又はＰＣ５リンクと呼ばれることもある。
【００１９】
選択ユニット１１３は、取得ユニット１１１が取得した情報に基づいて候補リンクから上記ユーザー装置に適用される通信リンクを選択するように配置される。
【００２０】
一実施例によれば、選択ユニット１１３による通信リンクの選択は、取得ユニット１１１が取得した情報に基づいて候補リンクの優先度を確定することと、確定された優先度に基づいて、候補リンクから通信リンクを選択することとを含んでもよい。
【００２１】
なお、選択ユニット１１３が優先度に基づいて通信リンクを選択するプロセスは、必ずしも優先度を具体的なパラメータ又は変数として計算又は確定するプロセス及び通信リンクをソートするプロセスを含む必要はないが、例えば、取得ユニット１１１が取得した情報がある状況を示す場合に、ある通信リンクを優先的に選択し、当該情報が他の状況を示す場合に、他の通信リンクを優先的に選択することができる。この場合、通信リンクの選択プロセスに実質的に優先度を考慮しているが、具体的な優先度の計算や確定及びソートの処理は含まれていない。
【００２２】
実施例による通信リンク選択の例示的な方式について、図７に示す例示的な適用シナリオを参照してより具体的に以下に説明する。
【００２３】
図７に示すシナリオでは、Ｒｅｍｏｔｅ  ＵＥは、セルＡのカバレッジにあり、既にあるｒｅｌａｙ  ＵＥとＰＣ５リンクを確立し、セルＡからセルＢへ移動している。この時、ｒｅｍｏｔｅ  ＵＥと現在のｒｅｌａｙ  ＵＥとの間のＰＣ５リンク品質が低下する可能性があり、セルＡにおけるＵｕリンク品質も低下する可能性があるが、隣接するセルＢのＵｕリンク品質は向上される可能性がある。Ｒｅｍｏｔｅ  ＵＥの測定結果は、中継再選択（中継再選択とはｒｅｍｏｔｅ  ＵＥとあるｒｅｌａｙ  ＵＥとが接続を確立した後、無線リンク品質又は他の原因によってｒｅｌａｙ  ＵＥを再選択する必要があることを指す）条件及びセル切り替えの条件を満たす可能性がある。本実施例は、特に、この場合に、例えば、ＰＣ５リンクからセルＡ又はセルＢにおける別のＰＣ５リンクに切り替えるか、又はＰＣ５リンクからｃｅｌｌ  ＢのＵｕリンクに切り替えるかなどのｒｅｍｏｔｅ  ＵＥのパス切り替え方式を確定する方案を提供する。ｒｅｍｏｔｅ  ＵＥは、異なる場合に異なるリンク切り替えを行って業務継続性に異なる影響を与えることがある。本実施例による通信リンク選択を行うことによって、例えば、ｒｅｍｏｔｅ  ＵＥは、業務継続性、リンク切り替え消費電力及び遅延などの点でより良好なサービスを得ることができる。上記の例では、セルはマクロセル（ｍａｃｒｏ  ｃｅｌｌ）又はスモールセル（ｓｍａｌｌ  ｃｅｌｌ）であってもよい。
【００２４】
より具体的には、通信リンクは、以下に基づいて選択することができる。
【００２５】
切り替えの目標セルＢがＵＥ−ｔｏ−Ｎｅｔｗｏｒｋ  Ｒｅｌａｙをサポートしない場合、即ち、切り替え後のｒｅｍｏｔｅ  ＵＥがセルＢにおける基地局によって直接的にサービスされる場合、良好なサービスを得るためには、切り替え後のセルＢのＵｕリンク品質と、セルＡにおける他のＰＣ５リンク品質との優劣を評価する必要がある。切り替え後、Ｕｕリンク品質が良好であれば、ｒｅｍｏｔｅ  ＵＥはセルＡからセルＢへの切り替えを完了し、他のＰＣ５リンク品質がより良好であれば、ｒｅｍｏｔｅ  ＵＥは中継再選択を行って、セルＡにおけるあるｒｅｌａｙ  ＵＥによって継続してサービスを提供する。
【００２６】
切り替えの目標セルＢがＵＥ−ｔｏ−Ｎｅｔｗｏｒｋ  Ｒｅｌａｙをサポートし、切り替え後のｒｅｍｏｔｅ  ＵＥのＵｕリンク品質が最も良好である場合、即ち、ｒｅｍｏｔｅ  ＵＥがセルＢにおける基地局に直接的に接続されても良好なサービスが得られる場合、直接の切り替えが中継再選択よりもよいと考えられるので、ｒｅｍｏｔｅ  ＵＥにセルＡからセルＢへの切り替えを行わせる。
【００２７】
切り替えの目標セルＢがＵＥ−ｔｏ−Ｎｅｔｗｏｒｋ  Ｒｅｌａｙをサポートし、切り替え後のｒｅｍｏｔｅ  ＵＥのＵｕリンク品質が依然として十分に優れていない場合、中継再選択が切り替えよりもよいと考えられる。その原因は、切り替え後のｒｅｍｏｔｅ  ＵＥが中継選択を必要とする可能性が高いためであり、この場合に、
【００２８】
Ａ）セルＡに良好なｒｅｌａｙ  ＵＥが存在する、又はセルＢにｒｅｌａｙ  ＵＥが見つからない場合、ｒｅｍｏｔｅ  ＵＥはセルＡにおけるｒｅｌａｙ  ＵＥを選択して通信する可能性が高いため、良好なサービスが得られるように、セルＡに切り替える必要がある。２回の切り替えはネットワークシグナリングオーバーヘッドを増加させ、ｒｅｍｏｔｅ  ＵＥの業務継続性も低下させるおそれがある。
【００２９】
Ｂ）セルＢに良好なｒｅｌａｙ  ＵＥが存在する場合、ｒｅｍｏｔｅ  ＵＥは再選択されたセルＢにおけるｒｅｌａｙ  ＵＥによって補助切り替えを行って、エアインタフェースシグナリングプロセスを低減し、ｒｅｍｏｔｅ  ＵＥの業務継続性を向上させることができ、これは、例えば、切り替えプロセスにおけるランダムアクセスプロセスをスキップできるためである。
【００３０】
従って、ｒｅｍｏｔｅ  ＵＥは、まず、発見されたｒｅｌａｙ  ＵＥをソートすることができ、統合的な条件が最もよいｒｅｌａｙ  ＵＥが、セルＡにおけるｒｅｌａｙ  ＵＥであれば、切り替えを一時的に延期し、セルＡにおけるｒｅｌａｙ  ＵＥによってサービスを行ってもよい。統合的な条件が最もよいｒｅｌａｙ  ＵＥが、セルＢにおけるＵＥであれば、このｒｅｌａｙ  ＵＥとの接続を確立し、セルＢにおけるｒｅｌａｙ  ＵＥによって補助される切り替えプロセスを完了してもよい。
【００３１】
リンク状態にあるｒｅｍｏｔｅ  ＵＥに対して、中継再選択の条件を満たす場合に、候補ｒｅｌａｙ  ＵＥをソートして、上記の最適なｒｅｌａｙ  ＵＥを確定することができる。また、ソートのエンティティはｒｅｍｏｔｅ  ＵＥ又はｅＮＢであってもよい。ソートは、ＰＣ５リンク品質、候補ｒｅｌａｙ  ＵＥリンク品質を考慮することに加えて、以下の要因も考慮してもよい。  
【００３２】
ｒｅｍｏｔｅ  ＵＥが隣接するセルｒｅｌａｙ  ＵＥとの接続を確立する時に切り替えを必要とする可能性が高いので、ｒｅｍｏｔｅ  ＵＥが切り替え条件を満たさない場合、このセルｒｅｌａｙ  ＵＥは隣接するセルｒｅｌａｙ  ＵＥと比べると、より高い重みが与えられるべきである。ｒｅｍｏｔｅ  ＵＥが切り替え条件を満たす場合、隣接するセルｒｅｌａｙ  ＵＥに、より高い重みが与えられるべきである。
【００３３】
ｒｅｍｏｔｅ  ＵＥ電力量が不十分である場合、ｒｅｍｏｔｅ  ＵＥはより安定したｒｅｌａｙ  ＵＥを必要とする。ｒｅｌａｙ  ＵＥのＵｕリンクがＵｕリンク安定性条件を満たす場合、より高い重みが与えられるべきである。
【００３４】
以上、ｒｅｍｏｔｅ  ＵＥが複数の候補ｒｅｌａｙ  ＵＥを発見するシナリオに対してｒｅｌａｙ  ＵＥのソートポリシーを提供し、電力量などのリンク品質以外の要因が考慮され、ｒｅｍｏｔｅ  ＵＥが最も適切なｒｅｌａｙ  ＵＥを選択することに有利である。
【００３５】
これに対応して、具体的な実施例によれば、取得ユニット１１１が取得した情報は、候補中継装置が属するセルを含んでもよく、選択ユニット１１３は、ユーザー装置がセル切り替え条件を満たさない場合、現在のセルの候補中継装置の優先度を別のセルの候補中継装置の優先度よりも高くし、ユーザー装置がセル切り替え条件を満たす場合、切り替えの目標セルの候補中継装置の優先度を現在のセル的候補中継装置の優先度よりも高くするように配置される。
【００３６】
別の具体的な実施例によれば、取得ユニット１１１が取得した情報は、ユーザー装置の残電力量に関する情報を含んでもよく、選択ユニット１１３は、ユーザー装置の電力量が所定のレベルよりも低い場合、セルラーリンク品質が高い（例えば、セルラーリンク品質が安定している）候補中継装置に高い優先度を持たせるように配置される。
【００３７】
さらに別の実施例によれば、取得ユニット１１１が取得した情報は、別のセルのセルラーリンクに対するユーザー装置の測定結果に関する情報と、別のセルが中継リンクをサポートするかどうかを指示する情報とを含んでもよい。
【００３８】
別のセルが中継リンクをサポートする場合、選択ユニット１１３は、ユーザー装置と別のセルとの間のセルラーリンク品質が所定のレベルよりも高い場合、別のセルへのセルラーリンクの優先度を、別の中継装置を介する中継リンクよりも高くし、ユーザー装置と別のセルとの間のセルラーリンク品質が所定のレベルよりも低い場合、別のセルへのセルラーリンクの優先度を、別の中継装置を介する中継リンクよりも低くするように配置されてもよい。
【００３９】
別のセルが中継リンクをサポートしない場合、ユーザー装置と候補中継装置との間のリンク品質と、ユーザー装置と別のセルとの間のセルラーリンク品質と、ユーザー装置及び／又は候補中継装置の残電力量と、ユーザー装置の業務特性のうち１つ又は複数に基づいて優先度を確定することができる。
【００４０】
次に、取得ユニット１１１が取得した上述情報の例について説明する。
【００４１】
例えば、基地局側で通信リンクの選択が行われる場合、対応する情報を次のようにしてユーザー装置から取得してもよい。
【００４２】
測定報告条件が満たされる場合、ＵＥは測定結果をｅＮＢに報告する必要がある。ｒｅｍｏｔｅ  ＵＥ又はｒｅｌａｙ  ＵＥは、サービングセルのｅＮＢに測定ＩＤ、サービングセルの測定結果、隣接するセルの測定結果を報告する必要がある以外に、ｅＮＢのリンク切り替え決定を支援して、業務継続性をより確実に保証するために、例えば、下記の追加情報を報告してもよい。
【００４３】
残電力量状態：
「００」は、残電力量が７５％よりも大きいことを表し、
「０１」は、残電力量が５０％から７５％の間であることを表し、
「１０」は残電力量が２５％から５０％の間であることを表し、
「１１」は残電力量が２５％未満であることを表す。
【００４４】
目標セル情報（オプション、ｒｅｍｏｔｅ  ＵＥの場合のみ）：
「００」は、目標セルがＵＥ−ｔｏ−Ｎｅｔｗｏｒｋ  Ｒｅｌａｙをサポートし、切り替え後にｒｅｍｏｔｅ  ＵＥ閾値条件を満たさない（即ち、ｒｅｍｏｔｅ  ＵＥのＵｕリンク品質が良好である）ことを表し、
「０１」は、目標セルがＵＥ−ｔｏ−Ｎｅｔｗｏｒｋ  Ｒｅｌａｙをサポートし、切り替え後に依然としてｒｅｍｏｔｅ  ＵＥ閾値条件を満たす（即ち、ｒｅｍｏｔｅ  ＵＥのＵｕリンク品質が十分に良好ではない）ことを表し、
「１０」は、目標セルがＵＥ−ｔｏ−Ｎｅｔｗｏｒｋ  Ｒｅｌａｙをサポートしないことを表し、
「１１」は、通常のＡ３イベント又は他のイベント（Ａ３イベント：測定報告のトリガー条件であり、隣接するセルがサービングセルに対するオフセット量よりも良好であって、同じ周波数内切り替えに使用できることを意味する）を表す。
【００４５】
Ｒｅｌａｙ  ＵＥ情報（オプション：ｒｅｍｏｔｅ  ＵＥの場合のみ）：
目標セル情報≠「１１」である場合にのみ、このフィールドが有効であり、サイドリンク発見参照信号受信電力（ＳＤ−ＲＳＲＰ）閾値条件を満たす最適なＭ個のｒｅｌａｙ  ＵＥを表す。Ｒｅｍｏｔｅ  ＵＥは、あるｒｅｌａｙ  ＵＥとの接続関係を保持するかどうかを示すことができ、あるｒｅｌａｙ  ＵＥとの接続が保持される場合、このｒｅｌａｙ  ＵＥは最も高い優先度を有する。
【００４６】
例えば、Ｒｅｌａｙ  ＵＥ情報は、次の表に示す内容を含むことができる。
【００４７】
【表１】
2020512706.tif 000003
【００４８】
新しい測定報告は、ｅＮＢ又はｒｅｍｏｔｅ  ＵＥが、切り替え条件を満たす時に、ｒｅｍｏｔｅ  ＵＥの異なる測定結果に応じて異なるリンク選択を行うのに有利であり、ｒｅｍｏｔｅ  ＵＥは、リンク選択を行う時に良好なサービスを取得し、ｒｅｍｏｔｅ  ＵＥリンクの切り替え時のサービス継続性が保証される。
【００４９】
なお、上記の例では与えられた情報及びその形態は単なる例示的なものであり、限定的なものではない。
【００５０】
例えば、上記の例では、ユーザー装置と候補中継装置との間のリンク品質は、ＳＤ−ＲＳＲＰによって表されるが、本発明はこれに限定されず、例えば、ユーザー装置と候補中継装置との間のリンク品質は、サイドリンク参照信号受信電力Ｓ−ＲＳＲＰによって表されてもよい。
【００５１】
本実施例による電子装置は、ユーザー装置側に設けられてもよい。より具体的には、当該ｒｅｍｏｔｅ  ＵＥ自身の通信リンクは、ｒｅｍｏｔｅ  ＵＥ側で確定できる。
【００５２】
図８は、ｒｅｍｏｔｅ  ＵＥ側でパス切り替え決定を行う場合のパス切り替え確定プロセスの全体的な流れの一例を示した。
【００５３】
図８に示すように、まず、ソースｅＮＢ（現在のセル基地局）又はｒｅｌａｙ  ＵＥによってｓｉｄｅｌｉｎｋ測定配置をｒｅｍｏｔｅ  ＵＥに送信し、ソースｅＮＢによってＵｕ測定配置をｒｅｍｏｔｅ  ＵＥに送信する。次に、ｒｅｍｏｔｅ  ＵＥは、受信した測定配置を利用してｓｉｄｅｌｉｎｋ測定及びＵｕ測定を行い、測定結果に基づいてパス切り替え決定を行う。或いは、ｒｅｍｏｔｅ  ＵＥは測定報告を基地局に送信することができる。
【００５４】
また、一実施例によれば、ユーザー装置は、ユーザー装置が中継リンクを継続して使用することを選択した場合、セル切り替えに関する測定報告を阻止することができる。中継リンクを継続して使用することを選択した場合は、中継再選択を行うか又は現在のｒｅｌａｙ  ＵＥによって継続してサービスするかを決定することを含んでもよい。
【００５５】
Ｒｅｍｏｔｅ  ＵＥは、Ｒｅｌａｙ  ＵＥと同じ能力を有するＵＥであってもよい。又は、ｒｅｍｏｔｅ  ＵＥは例えば、機能が現在のスマートフォンよりも弱いウェアラブル装置であってもよい。一実施例によれば、ユーザー装置は、マシンタイプ通信（Ｍａｃｈｉｎｅ  Ｔｙｐｅ  Ｃｏｍｍｕｎｉｃａｔｉｏｎ、ＭＴＣ）装置を含んでもよい。
【００５６】
近年、ＬＴＥ（Ｌｏｎｇ  Ｔｅｒｍ  Ｅｖｏｌｕｔｉｏｎ）技術を使用してＭＴＣ装置接続及び通信を実現することが業界の注目を集めている。多くのシナリオでは、これらの低消費電力の装置はウェアラブル装置であり人々の周りのスマートフォンからの距離が小さい。この時、スマートフォンをウェアラブル装置の中継装置として使用する、即ち、ＵＥ−ｔｏ−Ｎｅｔｗｏｒｋ通信方式は、ウェアラブル装置の消費電力を低下させることができる。
【００５７】
例えば、Ｒｅｌａｙ  ＵＥは従来のＬＴＥ  ＵＥ（カテゴリー１＋）、Ｒｅｍｏｔｅ  ＵＥは従来のＬＴＥ  ＵＥ、ｅＭＴＣ（拡張機種通信）ＵＥ（カテゴリーＭ１）又はＮＢ−ＩｏＴ（狭帯域のＩｏＴ）ＵＥ（カテゴリーＮＢ１）であってもよい。例えば、従来のＬＴＥ  ＵＥはシステム全体の帯域幅をサポートすることができ、カテゴリーＭ１  ＵＥは、６ＰＲＢ（物理リソースブロック）帯域幅のみをサポートすることができ、ＮＢ−ＩｏＴ  ＵＥは１ＰＲＢ帯域幅のみをサポートすることができる。
【００５８】
また、ＭＴＣタイプの装置は、一般的に、低い移動性を有し、例えば、無線ＰＯＳ（販売点）及び家庭環境における健康監視端末などはいずれも、低速、狭い範囲などの特徴を有している。ＭＴＣ装置Ｕｕ又はＰＣ５リンク品質が悪い時、ＭＴＣ装置は、ｒｅｌａｙ  ＵＥからの支援を求めるか、又はリンク品質がよりよい隣接するセルに切り替えることができる。
【００５９】
このような装置の電力消費要求を考慮し、Ｕｕリンクの電力消費は、通常、ＰＣ５リンクの電力消費よりも高く、一実施例によれば、中継リンクをＭＴＣ装置に適用する通信リンクとして優先的に選択する。
【００６０】
なお、本実施例は、ＭＴＣ装置に限らず、例えば、残電力量が所定のレベルよりも低い装置や、消費電力に特定の要求を有する装置などに適用することができる。
【００６１】
また、上記の例では、ＭＴＣ装置について説明したが、近距離サービス通信は、他のタイプを含んでもよく、例えば、装置と装置との（Ｄ２Ｄ）通信、車両と他の装置との（Ｖ２Ｘ）通信、ＩＯＴ通信などが挙げられるが、これらに限定されない。なお、Ｖ２Ｘ通信には、車車間（Ｖ２Ｖ）通信、車両と歩行者との（Ｖ２Ｐ）通信、及び車両とインフラとの（Ｖ２Ｉ）通信などが含まれてもよい。
【００６２】
本発明の実施例による電子装置は、基地局側に設けられてもよい。図９は、基地局側でパス切り替え決定を行う場合のパス切り替え確定プロセスの全体的な流れの一例を示した。
【００６３】
図９に示すように、まず、ソースｅＮＢ又はｒｅｌａｙ  ＵＥによってｓｉｄｅｌｉｎｋ測定配置をｒｅｍｏｔｅ  ＵＥに送信し、ソースｅＮＢによってＵｕ測定配置をｒｅｍｏｔｅ  ＵＥに送信する。次に、ｒｅｍｏｔｅ  ＵＥは、受信した測定配置を利用して測定し、測定報告をソースｅＮＢに送信する。ｅＮＢは、測定報告に基づいてパス切り替えの決定を行い、パス切り替え決定をｒｅｍｏｔｅ  ＵＥに送信する。
【００６４】
次に、決定エンティティがｅＮＢ側に配置される時に、受信した測定報告に従って決定を行う例示的な方法について図１０を参照して説明する。この例では、限定ではなく例示の目的で、測定報告の形式は、前の例の形式に従う。
【００６５】
図１０に示すように、Ｓ１００２では、ｒｅｍｏｔｅ  ＵＥから測定報告を受信し、報告の目標セル情報が「１１」である場合（Ｓ１００４のＹ）、Ｓ１０１２では、従来のプロセスを行う。一方、報告の目標セル情報が「１１」ではない場合（Ｓ１００４のＮ）、ｒｅｌａｙ  ＵＥのソート（Ｓ１００６）、目標セルＵｕリンクと最適なｒｅｌａｙ  ＵＥとの比較（Ｓ１００８）、パス切り替え決定（Ｓ１０１０）を行う。
【００６６】
より具体的には、ｅＮＢは上記のソート基準に従って、ｒｅｌａｙ  ＵＥによって報告された候補ｒｅｌａｙ  ＵＥから最適なｒｅｌａｙ  ＵＥを選択し、当該最適なｒｅｌａｙ  ＵＥを目標セルＵｕリンク品質と比較することができる。
【００６７】
目標セルがＵＥ−ｔｏ−Ｎｅｔｗｏｒｋ  Ｒｅｌａｙをサポートし、目標セルＵｕリンク品質が良好である場合、即ち、目標セル情報＝「００」である場合、セル切り替えの優先度は中継再選択又は現在のｒｅｌａｙ  ＵＥによって継続してサービスすることよりも高い。
【００６８】
目標セルがＵＥ−ｔｏ−Ｎｅｔｗｏｒｋ  Ｒｅｌａｙをサポートし、目標セルＵｕリンクが良好ではない場合、即ち、目標セル情報＝「０１」である場合、中継再選択又は現在のｒｅｌａｙ  ＵＥによって継続してサービスする優先度はセル切り替えよりも高い。
【００６９】
目標セルがＵＥ−ｔｏ−Ｎｅｔｗｏｒｋ  Ｒｅｌａｙをサポートしない場合、即ち、目標セル情報＝「１０」である場合、中継選択及び切り替えの優先度は次のような流れによって決定することができる。
【００７０】
ｒｅｍｏｔｅ  ＵＥの電力量が十分ではない時に、例えば、残電力量状態＝「１１」である時に、最適なｒｅｌａｙ  ＵＥの電力量が十分ではなければ、切り替えの優先度は中継選択又は現在のｒｅｌａｙ  ＵＥによって継続してサービスすることよりも高い。最適なｒｅｌａｙ  ＵＥの電力量が十分であり、且つ、最適なｒｅｌａｙ  ＵＥと当該ｒｅｍｏｔｅ  ＵＥとの間のＰＣ５リンク品質が隣接するセルＵｕリンクよりも高いと、中継再選択又は現在のｒｅｌａｙ  ＵＥによって継続してサービスする優先度は切り替えよりも高い。最適なｒｅｌａｙ  ＵＥの電力量が十分であり、且つ、最適なｒｅｌａｙ  ＵＥと当該ｒｅｍｏｔｅ  ＵＥとの間のＰＣ５リンク品質が隣接するセルＵｕリンクよりも低いと、切り替えの優先度は高い。
【００７１】
ｒｅｍｏｔｅ  ＵＥの電力量が十分である時に、最適なｒｅｌａｙ  ＵＥと当該ｒｅｍｏｔｅ  ＵＥとの間のＰＣ５リンク品質が隣接するセルＵｕリンクよりもはるかに高いと、中継再選択又は現在のｒｅｌａｙ  ＵＥによって継続してサービスする優先度は切り替えよりも高い。逆であると、切り替えの優先度は高い。最適なｒｅｌａｙ  ＵＥと当該ｒｅｍｏｔｅ  ＵＥとの間のＰＣ５リンク品質と隣接するセルＵｕリンク品質との差が大きくない場合に、ｒｅｍｏｔｅ  ＵＥが高い業務遅延要求を有すれば、切り替えの優先度が高く、ｒｅｍｏｔｅ  ＵＥが低い業務遅延要求を有すれば、優先度は、両方のリンク品質に基づいて判断することができる。
【００７２】
上記の例では、各リンク品質間の比較基準などは、具体的な適用に応じて確定することができる。
【００７３】
ｅＮＢによる決定が中継再選択であり、最適なｒｅｌａｙ  ＵＥが隣接するセルｒｅｌａｙ  ＵＥである場合、ソースセルｅＮＢは目標セルのうち最適なｒｅｌａｙ  ＵＥのリソース使用状況及び動作状態を知らない可能性があるので、ソースｅＮＢはクロスセルリソース割り当てを目標ｅＮＢに要求し、ｒｅｍｏｔｅ  ＵＥと最適なｒｅｌａｙ  ＵＥとの間のリソースを調整することにより、高速ＰＣ５リンクの確立を完了し、リンクの確立の時の遅延を低減することができる。
【００７４】
これに対応して、一実施例によれば、選択されたユーザー装置に適用される通信リンクが別のセルを介する中継装置の中継リンクである場合、当該中継リンクのリソース割り当てを別のセルの基地局に要求する。
【００７５】
以上、具体的な例を参照してパス切り替え確定の例示的なプロセスについて説明した。上記のプロセスは例えば、ｒｅｍｏｔｅ  ＵＥと現在のｒｅｌａｙ  ＵＥとの間のリンク品質が所定のレベルよりも低い、又は、ｒｅｍｏｔｅ  ＵＥに対するシグナリングが現在のｒｅｌａｙ  ＵＥを使用しないことを指示するというトリガー条件に応答して実行できる。
【００７６】
本発明の実施例による電子装置の前述の説明では、方法及びプロセスも開示していることは明らかである。次に、上述した詳細内容を繰り返すことなく、本発明の実施例による無線通信方法について説明する。
【００７７】
図２に示すように、本実施例による無線通信方法は、以下のステップを含む。
【００７８】
Ｓ２１０で、ユーザー装置が中継装置を介して現在のセルから通信サービスを取得する場合、別のセルへのセルラーリンク及び別の中継装置を介する中継リンクが含まれる候補リンクに関する情報を取得する。
【００７９】
Ｓ２２０で、候補リンクから当該ユーザー装置に適用する通信リンクを当該情報に基づいて選択する。
【００８０】
上記の実施例は、例えばｒｅｍｏｔｅ  ＵＥが切り替えと中継再選択を同時に満たす時に使用され、このようなイベントが発生するトリガー条件を定義することができる。
【００８１】
ＬＴＥで定義されたＵＥ−ｔｏ−Ｎｅｔｗｏｒｋ再選択条件には、以下のことが含まれる。
現在のｒｅｌａｙ  ＵＥのＳＤ−ＲＳＲＰ測定結果は、ｒｅｓｅｌｅｃｔｉｏｎＩｎｆｏＩＣ（カバレッジ内）又はｒｅｓｅｌｅｃｔｉｏｎＩｎｆｏＯｏＣ（カバレッジ外）におけるｑ−ＲｘＬｅｖＭｉｎよりも低いか、又は、上位層シグナリングは、現在のｒｅｌａｙ  ＵＥを使用しないことを指す。
【００８２】
ｓｉｄｅｌｉｎｋ発見はベストエフォート（ｂｅｓｔ−ｅｆｆｏｒｔ）操作であるので、ｒｅｍｏｔｅ  ＵＥが瞬時中継再選択条件を満たしている時に適切なｒｅｌａｙ  ＵＥが未だ見つけられていないことがある。そのため、ＲｅｌａｙｒｅｓｅｌｅｃｔｉｏｎＴｉｍｅｒタイマーを設置することができ、ｒｅｍｏｔｅ  ＵＥは、ＲｅｌａｙｒｅｓｅｌｅｃｔｉｏｎＴｉｍｅｒの時間内にｓｉｄｅｌｉｎｋ発見を行って候補  ｒｅｌａｙ  ＵＥを見つけることができる。タイマーが満了しても適切なｒｅｌａｙ  ＵＥが見つけられていない場合、ｅＮＢはサービスを直接的に行う。
【００８３】
これに対応して、次のような中継再選択ポリシーを定義することができる。
ａ）現在のｒｅｌａｙ  ＵＥに対するｒｅｍｏｔｅ  ＵＥのＰＣ５リンク測定（ＳＤ−ＲＳＲＰ又はＳ−ＲＳＲＰ）が上記の瞬時中継再選択条件を満たす場合、ｒｅｍｏｔｅ  ＵＥはＲｅｌａｙｒｅｓｅｌｅｃｔｉｏｎＴｉｍｅｒをオンにする。
ｂ）ＲｅｌａｙｒｅｓｅｌｅｃｔｉｏｎＴｉｍｅｒが満了した時に、ｒｅｍｏｔｅ  ＵＥが適切なｒｅｌａｙ  ＵＥを見つけると、中継再選択を行い、ｒｅｍｏｔｅ  ＵＥが未だ条件を満たすｒｅｌａｙ  ＵＥを見つけていない場合、ｒｅｍｏｔｅ  ＵＥはｅＮＢによってサービスするしかない。
【００８４】
ＲｅｌａｙｒｅｓｅｌｅｃｔｉｏｎＴｉｍｅｒは、ｒｅｍｏｔｅ  ＵＥが周辺の候補ｒｅｌａｙ  ＵＥを見つけるために設計されたものであり、ｒｅｍｏｔｅ  ＵＥが見つけた候補ｒｅｌａｙ  ＵＥの数に従って当該タイマーを調整することができる。上記のパラメータはｅＮＢによってｒｅｍｏｔｅ  ＵＥに対して配置することができる。
【００８５】
また、ＬＴＥで定義されたＡ３イベントは従来のセル間の切り替えに使用でき、目標セルのＵｕ  ＲＳＲＰがＡ３イベントのエントリ条件を満たす場合、トリガー時間（Ｔｉｍｅ  Ｔｏ  Ｔｒｉｇｇｅｒ、ＴＴＴ）タイマーは計時を開始し、ＴＴＴ時間内にＡ３イベントの離れ条件を満たさない場合、Ａ３イベントの測定報告をトリガーする。
【００８６】
これに対応して、図１１に示すように、ｒｅｍｏｔｅ  ＵＥが、Ａ３イベント切り替えと中継再選択を同時に満たす例示的なトリガー条件は、次のように定義できる。
ａ）  ｒｅｍｏｔｅ  ＵＥの測定結果は、Ａ３エントリ条件を満たすことを示し、Ａ３＿ＴＴＴが満了していない時に、瞬時中継再選択条件を満たし、ｒｅｍｏｔｅ  ＵＥはＲｅｌａｙｒｅｓｅｌｅｃｔｉｏｎをオンにする。
ｂ）  Ａ３＿ＴＴＴが満了した時に、ｒｅｍｏｔｅ  ＵＥの測定結果は、Ａ３イベント離れ条件を満たさないことを示し、ｒｅｍｏｔｅ  ＵＥによって配置されたＲｅｌａｙｒｅｓｅｌｅｃｔｉｏｎＴｉｍｅｒはまだ満了していない。
【００８７】
なお、Ａ３＿ＴＴＴとＲｅｌａｙｒｅｓｅｌｅｃｔｉｏｎＴｉｍｅｒの長さの関係は必要に応じて任意に設置することができる。また、ＲｅｌａｙｒｅｓｅｌｅｃｔｉｏｎＴｉｍｅｒはＡ３＿ＴＴＴよりも早くオンされてもよい。
【００８８】
上述の例の場合、Ａ３イベント測定報告がトリガーされる場合に、ｒｅｍｏｔｅ  ＵＥはまだ候補ｒｅｌａｙ  ＵＥを見つける過程、即ち、中継再選択のイベントにある。この場合、ｒｅｍｏｔｅ  ＵＥを、例えば、最適な候補ｒｅｌａｙ  ＵＥと隣接するセルＵｕリンクとを比較するなど、例示的な実施例を参照して先に説明したリンク選択ポリシーを行うようにトリガーすることができる。
【００８９】
図１２Ａ及び図１２Ｂは、Ａ３＿ＴＴＴが満了し、Ａ３イベント測定報告を満たす時に、ｒｅｍｏｔｅ  ＵＥをリンク選択ポリシーを行うようにトリガーする一例を示し、その中、ｒｅｍｏｔｅ  ＵＥは切り替え条件を満たす時に、中継再選択条件を満たさない。
【００９０】
図１２Ａに示す場合では、ｒｅｍｏｔｅ  ＵＥはＡ３イベント測定報告のトリガーイベントを満たす前に、中継再選択イベントを既に完了し、既にある新しいｒｅｌａｙ  ＵＥと新しい接続を確立している。図１２Ｂは、ｒｅｍｏｔｅ  ＵＥがＡ３イベント測定報告のトリガーイベントを満たす時に、依然として現在のｒｅｌａｙ  ＵＥによってサービスすることを示す。上記の場合、例えば、現在の接続されたｒｅｌａｙ  ＵＥのＰＣ５リンクと隣接するセルＵｕリンクとを比較するなど、リンク選択ポリシーを行うようにｒｅｍｏｔｅ  ＵＥをトリガーすることができる。
【００９１】
図１１、１２Ａ及び図１２ＢにおけるＵｕリンクの測定及びＰＣ５リンク測定は互いに独立して行われてもよく、Ａ３＿ＴＴＴ及びＲｅｌａｙｒｅｓｅｌｅｃｔｉｏｎＴｉｍｅｒの長さ及び順序は図示例に限定されない。
【００９２】
また、図１３Ａ及び図１３Ｂは、ｒｅｍｏｔｅ  ＵＥが、中継再選択の条件を満たす場合にＵｕリンク測定をトリガーする一例を示し、その中、ＲｅｌａｙｒｅｓｅｌｅｃｔｉｏｎＴｉｍｅｒ期間に、ｒｅｍｏｔｅ  ＵＥはＵｕリンクの測定をオンにする。
【００９３】
図１３Ａに示す状況では、ＲｅｌａｙｒｅｓｅｌｅｃｔｉｏｎＴｉｍｅｒが満了する前に、Ａ３イベント測定報告を満たし、この時、リンク選択を行うことができる（図１１を参照して先に説明した場合と同様）。
【００９４】
図１３Ｂに示す状況では、ＲｅｌａｙｒｅｓｅｌｅｃｔｉｏｎＴｉｍｅｒが満了しても、Ａ３イベント測定報告条件を満たせず、ｒｅｍｏｔｅ  ＵＥはまず、取得した候補ｒｅｌａｙ  ＵＥ情報に基づいて中継選択を行うことができる。次に、Ａ３＿ＴＴＴが満了した時に、Ａ３測定報告条件を満たす場合、図１２Ａを参照して先に説明した場合と類似に、現在接続されたｒｅｌａｙ  ＵＥのＰＣ５リンクと隣接するセルＵｕリンクとを比較することができる。
【００９５】
パス切り替え確定に関する以上の実施例では、パス切り替え確定プロセスのトリガー条件について説明した。本発明の別の態様によれば、所定の条件に基づいてリンク測定をトリガーする方案を提供する。
【００９６】
図３に示すように、一実施例による無線通信に用いられる電子装置３００は、処理回路３１０を含み、処理回路３１０は、ユーザー装置と現在の中継装置との間の中継リンク品質が所定のレベルに低下した時、当該ユーザー装置を、当該ユーザー装置と隣接するセルとの間のセルラーリンクに対する測定が含まれるリンク測定を行うようにトリガーするように配置されるトリガーユニット３１１を含む。
【００９７】
また、リンク測定は、当該ユーザー装置と別の中継装置との間の中継リンクに対する測定を含んでもよい。
【００９８】
例えば、ユーザー装置は上記のｒｅｍｏｔｅ  ＵＥに対応し、現在の中継装置は当該ｒｅｍｏｔｅ  ＵＥとの中継接続を確立したｒｅｌａｙ  ＵＥに対応し、別の中継装置は候補ｒｅｌａｙ  ＵＥに対応する。
【００９９】
図４は、対応する実施例による、以下のステップを含む無線通信方法を示す。
【０１００】
Ｓ４１０では、ユーザー装置と第１の中継装置との間の中継リンク品質が所定のレベルに低下した時に、リンク測定を行うようにユーザー装置をトリガーし、当該リンク測定は、ユーザー装置と隣接するセルとの間のセルラーリンクに対する測定を含む。
【０１０１】
また、本発明の別の態様の実施例によれば、リンク状態に基づいて候補リンクに対する測定配置を調整することができる。
【０１０２】
図５は、本実施例による処理回路５１０を含む無線通信に用いられる電子装置５００を示す。処理回路５１０は取得ユニット５１１と調整ユニット５１３を含む。
【０１０３】
取得ユニット５１１は、ユーザー装置が現在の中継装置を介して現在のセルから通信サービスを取得する場合、当該ユーザー装置と現在の中継装置との間のリンク状態及び現在の中継装置と現在のセルとの間のリンク状態に関する情報を取得するように配置される。
【０１０４】
調整ユニット５１３は、現在のセル又は別のセルへのセルラーリンク及び別の中継装置を介する中継リンクが含まれる候補リンクに対する、ユーザー装置の測定配置を取得ユニット５１１が取得した情報に基づいて調整するように配置される。
【０１０５】
上記測定配置の調整は、ユーザー装置の中継リンク測定に用いられるリソースがセルラーリンク測定に用いられるリソースと衝突する場合にトリガーされてもよい。
【０１０６】
Ｒｅｍｏｔｅ  ＵＥがｒｅｌａｙ  ＵＥとの接続を確立した後、ＵｕリンクとＰＣ５リンク品質を測定する必要がある。ｒｅｍｏｔｅ  ＵＥが２つの受信リンクを有する場合、２つの測定を同時に行うことができ、ｒｅｍｏｔｅ  ＵＥが１つの受信リンクのみを有する場合、１つのリンク品質の測定のみを行うことができる。そのため、ｒｅｍｏｔｅ  ＵＥが１つの受信リンクのみを有する場合、ｓｉｄｅｌｉｎｋ測定配置がｒｅｌａｙ  ＵＥによって配置されれば、Ｕｕリンク測定配置がｅＮＢによって与えられるため、Ｕｕリンク測定とｓｉｄｅｌｉｎｋ測定とが衝突する可能性がある。ｒｅｍｏｔｅ  ＵＥは２つの測定が衝突していることを発見すると、ｒｅｌａｙ  ＵＥ又はｅＮＢに測定の変更を要求する必要がある。
【０１０７】
測定配置及び測定変更要求の具体的な流れの例を図１４Ａ〜１４Ｄに示し、その中、図１４Ａは、ｒｅｌａｙ  ＵＥがｓｉｄｅｌｉｎｋ測定配置を行い、ｒｅｍｏｔｅ  ＵＥが測定変更をｒｅｌａｙ  ＵＥに要求する例を示し、図１４Ｂは、ｅＮＢがｓｉｄｅｌｉｎｋ測定配置を行い、ｒｅｍｏｔｅ  ＵＥが測定変更をｅＮＢに要求する例を示し、図１４Ｃは、ｒｅｌａｙ  ＵＥがｓｉｄｅｌｉｎｋ測定配置を行い、ｒｅｍｏｔｅ  ＵＥが測定変更をｅＮＢに要求する例を示し、図１４Ｄは、ｅＮＢがｓｉｄｅｌｉｎｋ測定配置を行い、ｒｅｍｏｔｅ  ＵＥが測定変更をｒｅｌａｙ  ＵＥに要求する例を示す。
【０１０８】
以下、さらに、Ｕｕリンク測定及びＰＣ５リンク測定について説明する。
【０１０９】
ｒｅｍｏｔｅ  ＵＥがあるｒｅｌａｙ  ＵＥとの接続を確立した後、当該ｒｅｌａｙ  ＵＥのＰＣ５リンクを測定する必要があり、さらに、他の候補ｒｅｌａｙ  ＵＥｓのＰＣ５リンク品質を測定してもよい。既存の中継選択及び中継再選択に対する測定はＳＤ−ＲＳＲＰによって決定され、即ち、Ｄ２Ｄ発見における信号品質によって決定される。但し、以上の実施例の説明で言及されたＳ−ＲＳＲＰ及びＳＤ−ＲＳＲＰはいずれもＰＣ５リンク品質を表すことができる。これに対応して、一実施例によれば、中継リンク品質は、Ｓ−ＲＳＲＰ又はＳＤ−ＲＳＲＰによって表されてもよい。
【０１１０】
また、以上のように、Ｒｅｍｏｔｅ  ＵＥは帯域幅が限定されるｒｅｍｏｔｅ  ＵＥ  （ｅＭＴＣ  ＵＥ又はＮＢ−ＩｏＴ  ＵＥ）であり、即ち、動作帯域幅は、例えば６ＰＲＢ又は１ＰＲＢしかない。同時に、ｓｉｄｅｌｉｎｋ通信と発見は異なる狭帯域（６ＰＲＢ又は１ＰＲＢ）で行われる可能性がある。ｒｅｍｏｔｅ  ＵＥがＳＤ−ＲＳＲＰを測定する時に、ｒｅｍｏｔｅ  ＵＥは、ｓｉｄｅｌｉｎｋ通信を同一サブフレームで行うことができない。ｒｅｍｏｔｅ  ＵＥがＳ−ＲＳＲＰを測定する時に、ｒｅｍｏｔｅ  ＵＥはｓｉｄｅｌｉｎｋ発見を同一サブフレームで行うことができない。従って、ｒｅｌａｙ  ＵＥは、測定とｓｉｄｅｌｉｎｋでの動作との衝突を避けるように、ｓｉｄｅｌｉｎｋ測定配置をｒｅｍｏｔｅ  ＵＥに対して配置することができる。ｒｅｍｏｔｅ  ＵＥの測定中の電力消費を低減するために、測定周期はｓｅｌｅｃｔｅｄ  ｒｅｌａｙ  ＵＥのＰＣ５リンク品質に従って調整することができる。従って、ここで、ｒｅｌａｙ  ＵＥによって配置されるＰＣ５リンク測定方法を提案する。
【０１１１】
ｒｅｍｏｔｅ  ＵＥがｒｅｌａｙ  ＵＥとの接続を確立した時に、ｒｅｌａｙ  ＵＥ又はｅＮＢは、現在のＰＣ５リンク品質によってｓｉｄｅｌｉｎｋ測定配置をｒｅｍｏｔｅ  ＵＥに対して配置し、ｒｅｍｏｔｅ  ＵＥはｓｉｄｅｌｉｎｋ測定配置に基づいて現在のＰＣ５リンク、他の候補ＰＣ５リンクの測定を行う。Ｓｉｄｅｌｉｎｋ測定配置は、間隔周期、サブフレームビットマップ（ｓｕｂ−ｆｒａｍｅ  ｂｉｔｍａｐ）などによって決定される。
【０１１２】
ｒｅｍｏｔｅ  ＵＥがセルＡにおけるあるｒｅｌａｙ  ＵＥとの接続を確立した後、リンク状態であるとみなすことができるが、現在のサービングセル及び隣接するセルＵｕリンク品質を測定する必要がある。ｅＮＢが、リンク状態であるｒｅｍｏｔｅ  ＵＥが切り替えを行うかそれとも中継再選択を行うかを合理的に決定できるように、追加の情報を取得する必要がある。追加の情報は例えば、目標セルがＵＥ−ｔｏ−Ｎｅｔｗｏｒｋ  Ｒｅｌａｙをサポートするかどうか、ｒｅｍｏｔｅ  ＵＥ配置に対する目標セルの閾値を含む。目標セルＢのシステム情報にＳＩＢ１８又はＳＩＢ１９（ＳｙｓｔｅｍＩｎｆｏｒｍａｔｉｏｎＢｌｏｃｋ１８、ＳｙｓｔｅｍＩｎｆｏｒｍａｔｉｏｎＢｌｏｃｋ１９、Ｄ２Ｄ通信及発見をそれぞれ担うためのシステム情報）が含まれない場合、目標セルＢがＵＥ−ｔｏ−Ｎｅｔｗｏｒｋ  Ｒｅｌａｙをサポートしないとみなすことができ、ＳＩＢ１９のうちｒｅｍｏｔｅＵＥ−ＣｏｎｆｉｇにおけるｔｈｒｅｓｈＨｉｇｈは、ｒｅｍｏｔｅ  ＵＥの閾値条件を示す。ｒｅｍｏｔｅ  ＵＥが位置するセルのＵｕリンク品質（ＲＳＲＰ）がｔｈｒｅｓｈＨｉｇｈを超える場合、ｒｅｍｏｔｅ  ＵＥはｒｅｌａｙ  ＵＥからの支援を求めることができないことを示す。そのため、追加の情報を取得するために、ｒｅｍｏｔｅ  ＵＥは測定時に隣接するセルシステム情報を読み取るか、又は、ｅＮＢによって提供することができる。ｒｅｍｏｔｅ  ＵＥが隣接するセルシステム情報を読み取ることは省電力化には役立たないので、ここでＵｕリンクの測定方法を提案する。
【０１１３】
具体的な流れは図１５に示し、ｅＮＢは例えば、ＲＲＣＣｏｎｎｅｃｔｉｏｎＲｅｃｏｎｆｉｇｕｒａｔｉｏｎメッセージに携帯されるｍｅａｓＣｏｎｆｉｇセルによって測定配置メッセージをｒｅｍｏｔｅ  ＵＥに通知する時に、それに含まれるセルリストで、追加のＳｕｐｐｏｒｔＥＲｅｌａｙ（１ビット）でこのセルがＵＥ−ｔｏ−Ｎｅｔｗｏｒｋ  Ｒｅｌａｙをサポートするかどうかを示し、「１」はサポートすることを表し、「０」はサポートしないことを示し、同時に、ｒｅｍｏｔｅＴｈｒｅｓｈを使用してｒｅｍｏｔｅ  ＵＥ配置に対するこのセルの閾値条件を通知する必要がある。
【０１１４】
ｒｅｍｏｔｅ  ＵＥによって測定されるセルが、ｅＮＢによってＳｕｐｐｏｒｔＥＲｅｌａｙ及びｒｅｍｏｔｅＴｈｒｅｓｈが提供されていない場合、ｒｅｍｏｔｅ  ＵＥは、このセルシステム情報を自分で読み取って取得するか、又はｅＮＢに要求することができる。
【０１１５】
次に、候補リンクに対するユーザー装置の測定配置を取得した情報に基づいて調整する具体的な実施例を提供する。
【０１１６】
一実施例によれば、調整ユニット５１３は、
ユーザー装置と現在の中継装置との間の中継リンク品質及び現在の中継装置と現在のセルとの間のセルラーリンク品質が対応する所定のレベルよりも高い場合、候補中継装置に対する中継リンク測定を低減し、
ユーザー装置と現在の中継装置との間の中継リンク品質及び／又は現在の中継装置と現在のセルとの間のセルラーリンク品質が対応する所定のレベルよりも低い場合、候補中継装置に対する中継リンク測定を増加するように配置される。
【０１１７】
別の実施例によれば、調整ユニット５１３は、
ユーザー装置と現在の中継装置との間の中継リンク品質及び現在の中継装置と現在のセルとの間のセルラーリンク品質が対応する所定のレベルよりも高い場合、現在のセル又は別のセルに対するユーザー装置のセルラーリンク測定をオフにするか又はセルラーリンク測定の周期を長くし、
ユーザー装置と現在の中継装置との間の中継リンク品質及び／又は現在の中継装置と現在のセルとの間のセルラーリンク品質が対応する所定のレベルよりも低い場合、現在のセル又は別のセルに対するユーザー装置のセルラーリンク測定をオンにするか又はセルラーリンク測定の周期を短くする、ように配置される。
【０１１８】
さらに別の実施例によれば、調整ユニット５１３は、
所定の時間内にユーザー装置によって発見された候補中継装置の数が所定の閾値よりも大きい場合、現在のセル又は別のセルに対するユーザー装置のセルラーリンク測定をオフにするか又はセルラーリンク測定の周期を長くし、
所定の時間内にユーザー装置によって発見された候補中継装置の数が所定の閾値よりも小さい場合、現在のセル又は別のセルに対するユーザー装置のセルラーリンク測定をオンにするか又はセルラーリンク測定の周期を短くする、ように配置される。
【０１１９】
前述したリンク品質指標以外に、中継リンク品質及びセルラーリンク品質は、対応するリンク変化率によって表されるリンク安定性をさらに含んでもよい。
【０１２０】
次に、具体例を挙げて詳細に説明する。
【０１２１】
ｒｅｌａｙ  ＵＥに接続されるｒｅｍｏｔｅ  ＵＥは、ＵｕリンクとＰＣ５リンクの状況に応じてＵｕリンク及びＰＣ５リンクの測定配置を変更することができる。例えば、ｒｅｍｏｔｅ  ＵＥとｒｅｌａｙ  ＵＥとの間のＰＣ５リンクが安定しており、同時に、ｒｅｌａｙ  ＵＥと基地局との間のリンクも比較的に安定している場合、ｒｅｍｏｔｅ  ＵＥはＰＣ５リンクとＵｕリンクの測定周期を低減して電力消費を節約することができる。
【０１２２】
ＰＣ５リンク安定性条件は、以下のように定義することができる。ｒｅｍｏｔｅ  ＵＥ測定結果は、ＰＣ５リンク変化率が一定の閾値ＴｈｒＰＣ５よりも小さいことを示す。
エントリ条件：ΔＰＣ５＋Ｈｙｓ１＜ＴｈｒＰＣ５
離れ条件：ΔＰＣ５−Ｈｙｓ１＞ＴｈｒＰＣ５
【０１２３】
ＰＣ５リンク不安定性条件は、以下のように定義することができる。ｒｅｍｏｔｅ  ＵＥ測定結果は、ＰＣ５リンク変化率が一定の閾値ＴｈｒＰＣ５よりも大きいことを示す。
エントリ条件：ΔＰＣ５−Ｈｙｓ１＞ＴｈｒＰＣ５
離れ条件：ΔＰＣ５＋Ｈｙｓ１＜ＴｈｒＰＣ５
【０１２４】
Ｕｕリンク安定性条件は、以下のように定義することができる。ＵＥ測定結果は、Ｕｕリンク変化率が一定の閾値ＴｈｒＵｕよりも小さいことを示す。
エントリ条件：ΔＰＣ５＋Ｈｙｓ２＜ＴｈｒＵｕ
離れ条件：ΔＰＣ５−Ｈｙｓ２＞ＴｈｒＵｕ
【０１２５】
Ｕｕリンク不安定性条件は、以下のように定義することができる。ＵＥ測定結果は、Ｕｕリンク変化率が一定の閾値ＴｈｒＵｕよりも大きいことを示す。
エントリ条件：ΔＰＣ５−Ｈｙｓ２＞ＴｈｒＵｕ
離れ条件：ΔＰＣ５＋Ｈｙｓ２＜ＴｈｒＵｕ
【０１２６】
Ｕｕ安定指標は以下のように定義することができる。ＵＥによってブロードキャストし、そのＵｕリンク状態を通知することができる。「０」はＵＥ  Ｕｕリンクが不安定状態であることを示し、「１」はｒｅｌａｙ  ＵＥ  Ｕｕリンクが安定状態であることを示す。ｅＮＢはユーザーの測定報告算出によって上記の指標を得ることができる。
【０１２７】
上記の例では、Ｈｙｓは、ヒステリシスの量を表す。
【０１２８】
次に、ＰＣ５リンクに対する自己適応測定配置方法の一例について図１６Ａ及び図１６Ｂを参照して説明する。
【０１２９】
図１６Ａは、ＰＣ５リンク測定減少の例示的なプロセスを示す。
【０１３０】
トリガーイベントは、ｒｅｍｏｔｅ  ＵＥの測定結果がＰＣ５リンク安定を示し、接続されるｒｅｌａｙ  ＵＥのＵｕリンク安定性指標がｒｅｌａｙ  ＵＥ  Ｕｕリンクが安定状態であることを示す時に、ｒｅｍｏｔｅ  ＵＥとｒｅｌａｙ  ＵＥとの接続が安定していることを意味し、ｒｅｍｏｔｅ  ＵＥは例えば、ＰＣ５リンク測定周期を長くし、測定されたサブフレームビットマップを変更するなどのようなＰＣ５リンク測定配置の低減をｒｅｌａｙ  ＵＥ／ｅＮＢに要求することができる。
【０１３１】
図１６Ｂは、ＰＣ５  リンク測定増加の例示的なプロセスを示す。
【０１３２】
トリガーイベントは、ｒｅｍｏｔｅ  ＵＥの測定結果がＰＣ５リンク不安定を示す場合、又は、接続されたｒｅｌａｙ  ＵＥのＵｕリンク安定性指標はｒｅｌａｙ  ＵＥ  Ｕｕリンクが不安定状態であることを示す時に、ｒｅｍｏｔｅ  ＵＥが中継再選択／リンク切り替えを行う可能性が高いことを意味し、ｒｅｍｏｔｅ  ＵＥは例えば、ＰＣ５リンク測定周期を短縮し、測定されたサブフレームビットマップを変更するなどのようなＰＣ５リンク測定配置の増加をｒｅｌａｙ  ＵＥ／ｅＮＢに要求することができる。
【０１３３】
次に、Ｕｕリンクに対する自己適応測定配置方法の一例について図１７Ａ及び図１７Ｂを参照して説明する。
【０１３４】
図１７Ａは、Ｕｕリンク測定をオン／オフにする例示的な方法を示す。
【０１３５】
Ｕｕリンク測定オフ：
トリガーイベント１は、ｒｅｍｏｔｅ  ＵＥの測定結果はＰＣ５リンク安定であり、接続されたｒｅｌａｙ  ＵＥのＵｕリンク安定性指標はｒｅｌａｙ  ＵＥ  Ｕｕリンクが安定状態であることを示す時に、ｒｅｍｏｔｅ  ＵＥとｒｅｌａｙ  ＵＥとの接続が安定していることを意味し、ｒｅｍｏｔｅ  ＵＥはＵｕリンクの測定をオフにすることをｅＮＢに申し込むことができる。
【０１３６】
トリガーイベント２は、一定の時間内にｒｅｍｏｔｅ  ＵＥによって発見された候補ｒｅｌａｙ  ＵＥの数が一定の閾値に到達した場合に、ｒｅｍｏｔｅ  ＵＥは現在のｒｅｌａｙ  ＵＥとの接続を継続して保持できない場合であっても、当該ｒｅｍｏｔｅ  ＵＥは他のｒｅｌａｙ  ＵＥに接続できることを意味し、ｒｅｍｏｔｅ  ＵＥはＵｕリンクの測定をオフにすることをｅＮＢに申し込むことができる。
【０１３７】
Ｕｕリンク測定オン：
トリガーイベント１は、ｒｅｍｏｔｅ  ＵＥの測定結果はＰＣ５リンク不安定を示す時、又は、接続されたｒｅｌａｙ  ＵＥのＵｕリンク安定性指標がｒｅｌａｙ  ＵＥ  Ｕｕリンクが不安定状態であることを示す時に、ｒｅｍｏｔｅ  ＵＥは中継再選択／リンク切り替えを行う可能性が高いことを意味し、従って、ｒｅｍｏｔｅ  ＵＥはＵｕリンクの測定をオンにすることをｅＮＢに申し込むべきである。
【０１３８】
トリガーイベント２は、ｒｅｍｏｔｅ  ＵＥによって発見された候補ｒｅｌａｙ  ＵＥの数がある閾値よりも低い時に、ｒｅｍｏｔｅ  ＵＥがリンク切り替えを行う必要がある場合、あるｒｅｌａｙ  ＵＥとの接続を確立できない可能性があり、基地局に接続する必要があるため、ｒｅｍｏｔｅ  ＵＥはＵｕリンクの測定をオンにすることをｅＮＢに申し込むべきである。
【０１３９】
図１７Ｂは、Ｕｕリンク測定を調整する例示的な方法を示す。
【０１４０】
ｅＮＢがＵｕリンク測定をｒｅｍｏｔｅ  ＵＥへ配置する時に、例えばＩｌｅｓｓ，Ｉｎｏｒｍ（Ｉｎｏｒｍ＞Ｉｌｅｓｓ）である複数の測定周期をｒｅｍｏｔｅ  ＵＥへ配置することができ、ｒｅｍｏｔｅ  ＵＥはそのＰＣ５リンク状態、及び接続されたｒｅｌａｙ  ＵＥ  Ｕｕリンク状態に基づいて測定周期の切り替えを行うことができる。
【０１４１】
ｅＮＢがｒｅｍｏｔｅ  ＵＥへ配置するＵｕリンク測定周期を、初期測定周期Ｉｎｏｒｍであると仮定する。ｒｅｍｏｔｅ  ＵＥが、上記のＵｕリンク測定低減で定義されたトリガーイベント（１、２）を満たすことを発見した時に、ｒｅｍｏｔｅ  ＵＥはＩｌｅｓｓをその測定周期として使用し、ｒｅｍｏｔｅ  ＵＥが上記のＵｕリンク測定増加で定義されたトリガーイベント（１、２）を満たすことを発見した時に、ｒｅｍｏｔｅ  ＵＥはＩｎｏｒｍをその測定周期として使用する。
【０１４２】
上記の例示的な方法は例えば、以下のような効果を提供することができる。ＰＣ５リンクに対する測定配置によって、ＰＣ５リンクを測定する時のｒｅｍｏｔｅ  ＵＥの電力消費を低減し、ｓｉｄｅｌｉｎｋ通信と測定との衝突を避けることができ、ｒｅｍｏｔｅ  ＵＥに対するｅＮＢの測定配置によって、ｒｅｍｏｔｅ  ＵＥが切り替え後、よいサービスを得ることができるかどうかを予測することができ、ＰＣ５リンクとｒｅｌａｙ  ＵＥ  Ｕｕリンクの状況によって、ｒｅｍｏｔｅ  ＵＥ  ＰＣ５リンク測定及びＵｕリンク測定のポリシーを効果的に調整することで、測定のためのｒｅｍｏｔｅ  ＵＥの電力消費を低下することができる。
【０１４３】
図６は、対応する実施例による無線通信方法を示し、
ユーザー装置が現在の中継装置を介して現在のセルから通信サービスを取得する場合、当該ユーザー装置と現在の中継装置との間のリンク状態及び現在の中継装置と現在のセルとの間のリンク状態に関する情報を取得するＳ６１０と、
現在のセル又は別のセルへのセルラーリンク及び別の中継装置を介する中継リンクが含まれる候補リンクに対するユーザー装置の測定配置を当該情報に基づいて調整するＳ６２０とを含む。
【０１４４】
一例として、上記方法の各ステップ及び上記装置の各構成モジュール及び／又はユニットは、ソフトウェア、ファームウェア、ハードウェア又はそれらの組み合わせとして実装されることができる。ソフトウェア又はファームウェアによって実現する場合に、上記方法を実現するためのソフトウェアを構成するプログラムを、記憶媒体又はネットワークから専用のハードウェア構成を有するコンピュータ（例えば、図１８に示す汎用コンピュータ２０００）にインストールしてもよく、当該コンピュータは、各種のプログラムがインストールされる場合に、各種の機能などを実行することができる。
【０１４５】
図１８において、中央処理装置（即ち、ＣＰＵ）２００１は、読み取り専用メモリ（ＲＯＭ）２００２に記憶されたプログラム又は記憶部分２００８からランダムアクセスメモリ（ＲＡＭ）２００３にロードされたプログラムに従って各種の処理を実行する。ＲＡＭ２００３において、必要に応じても、ＣＰＵが各種の処理などを実行する時に必要なデータが記憶される。ＣＰＵ２００１、ＲＯＭ２００２、及びＲＡＭ２００３はバス２００４を介して互いに接続される。入力／出力インターフェース２００５もバス２００４に接続される。
【０１４６】
入力部分２００６（キーボード、マウスなどを含む）、出力部分２００７（例えば陰極線管（ＣＲＴ）、液晶ディスプレイ（ＬＣＤ）などのディスプレイとスピーカなどを含む）、記憶部分２００８（ハードウェアなどを含む）、通信部分２００９（例えばＬＡＮカードやモデムなどのネットワークインターフェースカードを含む）が入力／出力インターフェース２００５に接続されている。通信部分２００９は例えばインターネットなどのネットワークを介して通信処理を実行する。必要に応じて、ドライバー２０１０は入力／出力インターフェース２００５に接続されてもよい。例えば磁気ディスク、光ディスク、光磁気ディスク、半導体メモリなどのリムーバブルメディア２０１１は、その中から読み出したコンピュータプログラムが必要に応じて記憶部分２００８にインストールされるように、必要に応じてドライバー２０１０に装着される。
【０１４７】
ソフトウェアによって上記した一連の処理を実現する場合に、例えばインターネットであるネットワーク又は例えばリムーバブルメディア２０１１である記憶媒体から、ソフトウェアを構成するプログラムをインストールする。
【０１４８】
当業者が理解すべきことは、このような記憶媒体が図１８に示すような、その中にプログラムが記憶され、装置とは別途配布してユーザーにプログラムを提供するリムーバブルメディア２０１１に限定されない。リムーバブルメディア２０１１の例は、磁気ディスク（フロッピーディスク（登録商標）を含む）、光ディスク（光ディスク読み取り専用メモリ（ＣＤ−ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ２００２、記憶部分２００８に含まれたハードウェアなどであってもよく、その中にプログラムが記憶され、且つこれらが含まれた装置と一緒にユーザーに配布する。
【０１４９】
本発明の実施例はさらに、機械可読命令コードが記憶されたプログラム製品に関する。前記命令コードが機械によって読み取って実行される時に、上記した本発明実施例による方法を実行することができる。
【０１５０】
これに対応して、上記した機械可読命令コードが記憶されたプログラム製品を担うための記憶媒体も本発明の開示に含まれる。前記記憶媒体は、フロッピーディスク、光ディスク、光磁気ディスク、メモリカード、メモリスティックなどを含むが、これらに限定されない。
【０１５１】
本出願の実施例はさらに、次のような電子装置に関する。電子装置が基地局側に使用される場合、電子装置は、例えばマクロｅＮＢや小ｅＮＢなどの任意のタイプの進化ノードＢ（ｅＮＢ）として実現されることができる。小ｅＮＢは、例えばピコｅＮＢ、マイクロｅＮＢ、及び家庭（フェムト）ｅＮＢなどのマクロセルより小さいセルをカバーできるｅＮＢであってもよい。その代わりに、電子装置は、例えばＮｏｄｅＢと基地局トランシーバ（ＢＴＳ）のような任意の別のタイプの基地局として実現されることができる。電子装置は、無線通信を制御するように配置される主体（基地局装置とも呼ばれる）と、主体と異なるところに設けられる１つ又は複数のリモート無線ヘッド（ＲＲＨ）とを含むことができる。また、後述する様々なタイプのユーザー装置はいずれも、基地局機能を一時的又は半永久的に実行することによって、基地局として機能することができる。
【０１５２】
電子装置は、ユーザー装置側に用いられる場合に、携帯端末（例えばスマートフォン、タブレットパーソナルコンピューター（ＰＣ）、ノートＰＣ、携帯ゲーム端末、ポータブル／ドングルモバイルルーター、及びデジタル撮像装置など）又は車載端末（カーナビゲーション装置など）として実現されることができる。また、電子装置は、上記端末のうちの各端末に搭載された無線通信モジュール（例えば単一又は複数のチップが含まれる集積回路モジュール）であってもよい。
【０１５３】
［端末装置についての適用例］
図１９は、本開示の技術を適用できるスマートフォン２５００の概略構成の一例を示すブロック図である。スマートフォン２５００はプロセッサ２５０１、メモリ２５０２、記憶装置２５０３、外部接続インターフェース２５０４、撮像装置２５０６、センサー２５０７、マイク２５０８、入力装置２５０９、表示装置２５１０、スピーカ２５１１、無線通信インターフェース２５１２、１つ又は複数のアンテナスイッチ２５１５、１つ又は複数のアンテナ２５１６、バス２５１７、バッテリー２５１８及び補助コントローラ２５１９を含む。
【０１５４】
プロセッサ２５０１は例えばＣＰＵ又はシステムオンチップ（ＳｏＣ）であり、スマートフォン２５００のアプリケーション層と別の層の機能を制御することができる。メモリ２５０２はＲＡＭとＲＯＭを含み、データとプロセッサ２５０１によって実行されるプログラムが記憶される。記憶装置２５０３は例えば半導体メモリとハードディスクのような記憶媒体を含むことができる。外部接続インターフェース２５０４は外部装置（例えばメモリカードとユニバーサルシリアルバス（ＵＳＢ）装置）をスマートフォン２５００に接続するためのインターフェースである。
【０１５５】
撮像装置２５０６はイメージセンサー（例えば電荷結合デバイス（ＣＣＤ）と相補型金属酸化物半導体（ＣＭＯＳ））を含み、キャプチャ画像を生成する。センサー２５０７は例えば測定センサー、ジャイロセンサー、地磁気気センサー及び加速度センサーのような１組のセンサーを含んでもよい。マイク２５０８はスマートフォン２５００に入力された音をオーディオ信号に変換する。入力装置２５０９は例えば表示装置２５１０のスクリーンでのタッチを検出するように配置されるタッチセンサー、キーパッド、キーボード、ボタン又はスイッチを含み、ユーザーから入力された動作又は情報を受信する。表示装置２５１０はスクリーン（例えば液晶ディスプレイ（ＬＣＤ）と有機発光ダイオード（ＯＬＥＤ）ディスプレイ）を含み、スマートフォン２５００の出力画像を表示する。スピーカ２５１１はスマートフォン２５００から出力したオーディオ信号を音に変換する。
【０１５６】
無線通信インターフェース２５１２は任意のセルラー通信方式（例えば、ＬＴＥとＬＴＥ−Ａｄｖａｎｃｅｄ）をサポートし、無線通信を実行する。無線通信インターフェース２５１２は通常、例えばＢＢプロセッサ２５１３とＲＦ回路２５１４を含むことができる。ＢＢプロセッサ２５１３は例えば、符号化／復号化、変調／復調、多重化／多重化解除を実行すると共に、無線通信のための様々なタイプの信号処理を実行することができる。同時に、ＲＦ回路２５１４は例えばミキサ、フィルタ、及び増幅器を含んで、アンテナ２５１６を介して無線信号を送受信することができる。無線通信インターフェース２５１２はその上にＢＢプロセッサ２５１３とＲＦ回路２５１４が集積化される１つのチップモジュールであってもよい。図１９に示すように、無線通信インターフェース２５１２は複数のＢＢプロセッサ２５１３と複数のＲＦ回路２５１４を含んでもよい。図１９に、無線通信インターフェース２５１２に複数のＢＢプロセッサ２５１３と複数のＲＦ回路２５１４が含まれる例を示したが、無線通信インターフェース２５１２は単一のＢＢプロセッサ２５１３又は単一のＲＦ回路２５１４を含んでもよい。
【０１５７】
なお、セルラー通信方式の以外、無線通信インターフェース２５１２は、例えば短距離無線通信方式、近接通信方式や無線ローカルネットワーク（ＬＡＮ）方式などの別のタイプの無線通信方式をサポートすることができる。この場合、無線通信インターフェース２５１２は各種の無線通信方式に対するＢＢプロセッサ２５１３とＲＦ回路２５１４を含んでもよい。
【０１５８】
アンテナスイッチ２５１５のそれぞれは無線通信インターフェース２５１２に含まれる複数の回路（例えば異なる無線通信方式に使用される回路）間でアンテナ２５１６の接続先を切り替える。
【０１５９】
アンテナ２５１６のそれぞれは単一又は複数のアンテナ素子（例えばＭＩＭＯアンテナに含まれた複数のアンテナ素子）を含み、無線通信インターフェース２５１２の無線信号の送受信に使用される。図１９に示すように、スマートフォン２５００は複数のアンテナ２５１６を含んでもよい。図１９に、スマートフォン２５００に複数のアンテナ２５１６が含まれる例を示したが、スマートフォン２５００は単一のアンテナ２５１６を含んでもよい。
【０１６０】
なお、スマートフォン２５００は各種の無線通信方式に対するアンテナ２５１６を含んでもよい。この場合に、アンテナスイッチ２５１５はスマートフォン２５００の配置から省略されてもよい。
【０１６１】
バス２５１７はプロセッサ２５０１、メモリ２５０２、記憶装置２５０３、外部接続インターフェース２５０４、撮像装置２５０６、センサー２５０７、マイク２５０８、入力装置２５０９、表示装置２５１０、スピーカ２５１１、無線通信インターフェース２５１２及び補助コントローラ２５１９を互いに接続する。バッテリー２５１８は給電線によって図１９に示すスマートフォン２５００の各ブロックに電力を提供し、給電線は図面において部分的に点線として示される。補助コントローラ２５１９は例えばスリープモードでスマートフォン２５００の最低限必要な機能を動作させる。
【０１６２】
図１９に示すスマートフォン２５００では、本発明実施例による電子装置の処理回路の機能の少なくとも一部は、プロセッサ２５０１又は補助コントローラ２５１９によって実現することができる。例えば、補助コントローラ２５１９がプロセッサ２５０１の機能の一部を実行することで、バッテリー２５１８の消費電力を低減することができる。また、プロセッサ２５０１又は補助コントローラ２５１９は、メモリ２５０２又は記憶装置２５０３に記憶されたプログラムを実行することで、本発明実施例による携帯端末側の電子装置又は無線通信装置の処理回路及び／又は各ユニットの機能の少なくとも一部を実行することができる。
【０１６３】
［基地局についての適用例］
図２０は本開示の技術を適用できるｅＮＢの概略構成の一例を示すブロック図である。ｅＮＢ２３００は１つ又は複数のアンテナ２３１０及び基地局装置２３２０を含む。基地局装置２３２０と各アンテナ２３１０は無線周波数（ＲＦ）ケーブルを介して接続されてもよい。
【０１６４】
アンテナ２３１０のそれぞれは単一又は複数のアンテナ素子（例えば多入力多出力（ＭＩＭＯ）アンテナに含まれる複数のアンテナ素子）を含み、基地局装置２３２０の無線信号の送受信に使用される。図２０に示すように、ｅＮＢ２３００は複数のアンテナ２３１０を含んでもよい。例えば、複数アンテナ２３１０はｅＮＢ２３００に使用される複数の周波数領域と互換性があり得る。図２０に、ｅＮＢ２３００には複数のアンテナ２３１０が含まれる例を示したが、ｅＮＢ２３００は単一のアンテナ２３１０を含んでもよい。
【０１６５】
基地局装置２３２０は、コントローラ２３２１、メモリ２３２２、ネットワークインターフェース２３２３及び無線通信インターフェース２３２５を含む。
【０１６６】
コントローラ２３２１は例えばＣＰＵ又はＤＳＰであり、且つ、基地局装置２３２０の上位層の各種機能を動作させる。例えば、コントローラ２３２１は無線通信インターフェース２３２５によって処理された信号におけるデータに基づいて、データパケットを生成し、ネットワークインターフェース２３２３を介して、生成されたパケットを伝送する。コントローラ２３２１は複数のベースバンドプロセッサからのデータをバンドルして、バンドルパケットを生成し、生成されたバンドルパケットを伝送することができる。コントローラ２３２１は以下のような制御を実行する論理機能を有してもよく、当該制御は例えば、無線リソース制御、無線ベアラ制御、移動管理、受付制御、及びスケジューリングなどである。当該制御は近くのｅＮＢ又はコアネットワークノードと結合して実行することができる。メモリ２３２２はＲＡＭとＲＯＭを含み、コントローラ２３２１によって実行されるプログラム及び各種制御データ（例えば、端末リスト、送信パワーデータ及びスケジューリングデータ）が記憶される。
【０１６７】
ネットワークインターフェース２３２３は基地局装置２３２０をコアネットワーク２３２４の通信インターフェースに接続するためのものである。コントローラ２３２１はネットワークインターフェース２３２３を介してコアネットワークノード又は別のｅＮＢと通信することができる。この場合、ｅＮＢ２３００とコアネットワークノード又は別のｅＮＢとは論理インターフェース（例えばＳ１インターフェースとＸ２インターフェース）によって互いに接続される。ネットワークインターフェース２３２３は有線通信インターフェース又は無線バックホール回線用の無線通信インターフェースであってもよい。ネットワークインターフェース２３２３が無線通信インターフェースであれば、ネットワークインターフェース２３２３は、無線通信インターフェース２３２５によって使用される周波数帯よりも高い周波数帯を無線通信に使用することができる。
【０１６８】
無線通信インターフェース２３２５は任意のセルラー通信方式（例えば、ＬＴＥ（Ｌｏｎｇ  Ｔｅｒｍ  Ｅｖｏｌｕｔｉｏｎ）及びＬＴＥ−Ａｄｖａｎｃｅｄ）をサポートし、アンテナ２３１０を介してｅＮＢ２３００のセルに位置する端末への無線接続を提供する。無線通信インターフェース２３２５は通常、例えばＢＢプロセッサ２３２６とＲＦ回路２３２７を含むことができる。ＢＢプロセッサ２３２６は例えば、符号化／復号化、変調／復調、多重化／多重化解除を実行すると共に、レイヤー（例えばＬ１、メディアアクセス制御（ＭＡＣ）、無線リンク制御（ＲＬＣ）、パケットデータアグリゲーションプロトコル（ＰＤＣＰ））の様々なタイプの信号処理を実行することができる。コントローラ２３２１の代わりに、ＢＢプロセッサ２３２６は上記した論理機能の一部又は全部を有してもよい。ＢＢプロセッサ２３２６は通信制御プログラムが記憶されるメモリであってもよく、或いは、プログラムを実行するように配置されるプロセッサ及び関連する回路を含むモジュールであってもよい。プログラムの更新はＢＢプロセッサ２３２６の機能を変更させることができる。当該モジュールは基地局装置２３２０のスロットに挿入されるカード又はブレッドであってもよい。その代わりに、当該モジュールはカード又はブレッドに搭載されるチップであってもよい。同時に、ＲＦ回路２３２７は、例えばミキサ、フィルタ、増幅器を含んで、アンテナ２３１０を介して無線信号を送受信してもよい。
【０１６９】
図２０に示すように、無線通信インターフェース２３２５は複数のＢＢプロセッサ２３２６を含んでもよい。例えば、複数のＢＢプロセッサ２３２６は、ｅＮＢ２３００によって使用される複数の周波数領域と互換性があり得る。図２０に示すように、無線通信インターフェース２３２５は複数のＲＦ回路２３２７を含んでもよい。例えば、複数のＲＦ回路２３２７は複数のアンテナ素子と互換性があり得る。図２０には、無線通信インターフェース２３２５には複数のＢＢプロセッサ２３２６と複数のＲＦ回路２３２７が含まれる例を示したが、無線通信インターフェース２３２５は単一のＢＢプロセッサ２３２６又は単一のＲＦ回路２３２７を含んでもよい。
【０１７０】
図２０に示すｅＮＢ２３００において、本発明実施例による電子装置の処理回路の機能の少なくとも一部は、コントローラ２３２１によって実現することができる。例えば、コントローラ２３２１は、メモリ２３２２に記憶されたプログラムを実行することで、本発明実施例による基地局側の電子装置又は無線通信装置の処理回路及び／又は各ユニットの機能の少なくとも一部を実行することができる。
【０１７１】
［カーナビゲーション装置についての適用例］
図２１は本開示の技術を適用できるカーナビゲーション装置２１２０の概略構成の一例を示すブロック図である。カーナビゲーション装置２１２０はプロセッサ２１２１、メモリ２１２２、全球位置決めシステム（ＧＰＳ）モジュール２１２４、センサー２１２５、データインターフェース２１２６、コンテンツプレーヤー２１２７、記憶媒体インターフェース２１２８、入力装置２１２９、表示装置２１３０、スピーカ２１３１、無線通信インターフェース２１３３、１つ又は複数のアンテナスイッチ２１３６、１つ又は複数のアンテナ２１３７及びバッテリー２１３８を含む。
【０１７２】
プロセッサ２１２１は例えばＣＰＵ又はＳｏＣであり、且つ、カーナビゲーション装置２１２０のナビゲーション機能と別の機能を制御することができる。メモリ２１２２はＲＡＭとＲＯＭを含み、データとプロセッサ２１２１によって実行されるプログラムが記憶される。
【０１７３】
ＧＰＳモジュール２１２４はＧＰＳ衛星から受信したＧＰＳ信号を使用してカーナビゲーション装置２１２０の位置（例えば、緯度、経度、高度）を測定する。センサー２１２５は例えばジャイロセンサー、地磁気気センサー及び気圧センサーのような１組のセンサーを含んでもよい。データインターフェース２１２６は図示しない端末を介して例えば車のネットワーク２１４１に接続され、車両によって生成されたデータ（例えば、車速データ）を取得する。
【０１７４】
コンテンツプレーヤー２１２７は記憶媒体（例えば、ＣＤとＤＶＤ）に記憶されたコンテンツを再生し、当該記憶媒体は記憶媒体インターフェース２１２８に挿入される。入力装置２１２９は例えば表示装置２１３０のスクリーンでのタッチを検出するように配置されるタッチセンサー、ボタン又はスイッチを含み、ユーザーから入力された動作又は情報を受信する。表示装置２１３０は例えばＬＣＤやＯＬＥＤディスプレイのスクリーンを含み、ナビゲーション機能の画像又は再生されたコンテンツを表示する。スピーカ２１３１はナビゲーション機能の音又は再生されたコンテンツを出力する。
【０１７５】
無線通信インターフェース２１３３は任意のセルラー通信方式（例えば、ＬＴＥとＬＴＥ−Ａｄｖａｎｃｅｄ）をサポートし、無線通信を実行することができる。無線通信インターフェース２１３３は通常、例えばＢＢプロセッサ２１３４とＲＦ回路２１３５を含むことができる。ＢＢプロセッサ２１３４は、例えば符号化／復号化、変調／復調、及び多重化／多重化解除を実行すると共に、無線通信に使用される様々なタイプの信号処理を実行することができる。同時に、ＲＦ回路２１３５は例えばミキサ、フィルタ、増幅器を含んで、アンテナ２１３７を介して無線信号を送受信することができる。無線通信インターフェース２１３３はその上にＢＢプロセッサ２１３４とＲＦ回路２１３５が集積化される１つのチップモジュールであってもよい。図２１に示すように、無線通信インターフェース２１３３は複数のＢＢプロセッサ２１３４と複数のＲＦ回路２１３５を含んでもよい。図２１に、無線通信インターフェース２１３３に複数のＢＢプロセッサ２１３４と複数のＲＦ回路２１３５が含まれる例を示したが、無線通信インターフェース２１３３は単一のＢＢプロセッサ２１３４又は単一のＲＦ回路２１３５を含んでもよい。
【０１７６】
なお、セルラー通信方式の以外、無線通信インターフェース２１３３は、例えば短距離無線通信方式、近接通信方式、及び無線ＬＡＮ方式のような別のタイプの無線通信方式をサポートすることができる。この場合、各種の無線通信方式ごとに、無線通信インターフェース２１３３はＢＢプロセッサ２１３４とＲＦ回路２１３５を含んでもよい。
【０１７７】
アンテナスイッチ２１３６のそれぞれは無線通信インターフェース２１３３に含まれる複数の回路（例えば、異なる無線通信方式に使用される回路）間でアンテナ２１３７の接続先を切り替えする。
【０１７８】
アンテナ２１３７のそれぞれは単一又は複数のアンテナ素子（例えばＭＩＭＯアンテナに含まれる複数のアンテナ素子）を含み、無線通信インターフェース２１３３の無線信号の送受信に使用される。図２１に示すように、カーナビゲーション装置２１２０は複数のアンテナ２１３７を含んでもよい。図２１に、カーナビゲーション装置２１２０に複数のアンテナ２１３７が含まれる例を示したが、カーナビゲーション装置２１２０は単一のアンテナ２１３７を含んでもよい。
【０１７９】
なお、カーナビゲーション装置２１２０は、各種の無線通信方式ごとに、アンテナ２１３７を含んでもよい。この場合、アンテナスイッチ２１３６はカーナビゲーション装置２１２０の配置から省略されてもよい。
【０１８０】
バッテリー２１３８は給電線によって図２１に示すカーナビゲーション装置２１２０の各ブロックに電力を提供し、給電線は図面において部分的に点線して示される。バッテリー２１３８は車両から提供された電力を蓄積する。
【０１８１】
図２１に示すカーナビゲーション装置２１２０では、本発明実施例による電子装置の処理回路の機能の少なくとも一部は、プロセッサ２１２１によって実現してもよい。
【０１８２】
本開示の技術はカーナビゲーション装置２１２０、車のネットワーク２１４１及び車両モジュール２１４２のうち１つ又は複数のブロックが含まれた車載システム（又は車両）２１４０として実現されてもよい。車両モジュール２１４２は車両データ（例えば車速、エンジン速度、故障情報）を生成し、生成されたデータを車のネットワーク２１４１に出力する。
【０１８３】
上記の本発明の具体的な実施形態の説明では、１つの実施形態について記載及び／又は図示された特徴は、１つ又は複数の他の実施形態において、他の実施形態における特徴と組み合わせて、又はその代わりに、同じ又は類似の方法で使用されることができる。
【０１８４】
本明細書で使用する「含む／含まれる」という用語とは、特徴、要素、ステップ又は構成部品の存在を指すが、１つ又は複数の他の特徴、要素、ステップ又は構成部品の存在又は追加を排除するものではないことは強調されるべきである。
【０１８５】
上記の実施形態及び実施例では数字からなる参照符号を使用して各ステップ及び／又はユニットを示す。当業者であれば、これらの参照番号は説明及び図面の便宜のためだけであり、順序又は他の任意の限定を表すことを意図しないことを理解すべきである。
【０１８６】
また、本発明の方法は、明細書に記載された時系列順に限定されるものではなく、他の時系列で、並行して、又は独立して実行されてもよい。従って、本明細書に記載された方法の実行順序は、本発明の技術的範囲を限定するものではない。
【０１８７】
以上、図面を結合して本開示の実施例について詳細に説明したが、上記の全ての実施形態及び実施例は例示的なものであり、限定的なものではないことは理解すべきである。当業者であれば、添付の特許請求の範囲の精神及び範囲内で、本発明に対する様々な修正、改良、又は等価物を考案することができる。これらの修正、改良、又は等価物も本発明の範囲内に含まれると考えられるべきである。
【図１】
2020512706.tif 000004
【図２】
2020512706.tif 000005
【図３】
2020512706.tif 000006
【図４】
2020512706.tif 000007
【図５】
2020512706.tif 000008
【図６】
2020512706.tif 000009
【図７】
2020512706.tif 000010
【図８】
2020512706.tif 000011
【図９】
2020512706.tif 000012
【図１０】
2020512706.tif 000013
【図１１】
2020512706.tif 000014
【図１２Ａ】
2020512706.tif 000015
【図１２Ｂ】
2020512706.tif 000016
【図１３Ａ】
2020512706.tif 000017
【図１３Ｂ】
2020512706.tif 000018
【図１４Ａ】
2020512706.tif 000019
【図１４Ｂ】
2020512706.tif 000020
【図１４Ｃ】
2020512706.tif 000021
【図１４Ｄ】
2020512706.tif 000022
【図１５】
2020512706.tif 000023
【図１６Ａ】
2020512706.tif 000024
【図１６Ｂ】
2020512706.tif 000025
【図１７Ａ】
2020512706.tif 000026
【図１７Ｂ】
2020512706.tif 000027
【図１８】
2020512706.tif 000028
【図１９】
2020512706.tif 000029
【図２０】
2020512706.tif 000030
【図２１】
2020512706.tif 000031
【国際調査報告】
2020512706.tif 000032
2020512706.tif 000033
2020512706.tif 000034
2020512706.tif 000035